(57)【要約】【課題】小型化可能な貨幣処理装置及び精算システムを提供する。【解決手段】紙幣投入口２６に投入された紙幣を処理する紙幣処理部６と、紙幣投入口２６に隣接して設けられ、硬貨が投入される硬貨投入口２３４と、硬貨投入口２３４に投入された硬貨を下方に誘導する誘導部と、紙幣処理部６の下方に配置され、硬貨投入口２３４に投入され誘導部で誘導された硬貨を処理する硬貨処理部５とを備える。紙幣処理部６及び硬貨処理部５を装置幅方向に並べて配置する場合と比べて装置幅方向の寸法を小型化可能となる。また、紙幣投入口２６に隣接して硬貨投入口２３４が設けられているため、紙幣及び硬貨の投入操作が容易となる。【選択図】図１
2018101279.tif 000002
【特許請求の範囲】
【請求項１】
紙幣投入口に投入された紙幣を処理する紙幣処理部と、
前記紙幣投入口に隣接して設けられ、硬貨が投入される硬貨投入口と、
前記硬貨投入口に投入された硬貨を下方に誘導する誘導部と、
前記紙幣処理部の下方に配置され、前記硬貨投入口に投入され前記誘導部で誘導された硬貨を処理する硬貨処理部と、
を備えることを特徴とする貨幣処理装置。
【請求項２】
前記紙幣処理部から繰り出された紙幣を取り出し可能とする紙幣出金口を有し、    
前記紙幣投入口および前記紙幣出金口は、装置幅方向に長く、装置幅方向の位置を重ね合わせて装置前後方向に並設され、
前記硬貨投入口は、前記紙幣投入口に対し装置幅方向に隣接して設けられていることを特徴とする請求項１記載の貨幣処理装置。
【請求項３】
前記硬貨処理部の下方に該硬貨処理部から繰り出された硬貨を収納する回収硬貨収納部が設けられていることを特徴とする請求項１または２記載の貨幣処理装置。
【請求項４】
前記硬貨処理部の下方に棒金収納部が設けられていることを特徴とする請求項１乃至３のいずれか一項記載の貨幣処理装置。
【請求項５】
請求項１乃至４のいずれか一項に記載の貨幣処理装置を含んで構成されて、精算処理を行う精算システム。
【発明の詳細な説明】
【技術分野】
【０００１】
本発明は、貨幣処理装置及び精算システムに関する。
【背景技術】
【０００２】
近年、流通業界では慢性的な人手不足に陥っており、この問題を解消するために、食品スーパーや量販店等では、セルフレジの導入が加速している。さらに最近では、商品のスキャンによる登録をレジ係員が商品登録装置で行い、精算のみを顧客が精算装置で行うセミセルフレジが広がり始めている（例えば、特許文献１参照）。これらのセルフレジやセミセルフレジの導入より、レジ待ち時間の短縮、現金違算の解消、従業員の人手不足の解消など様々な問題を解決することができる。
【先行技術文献】
【特許文献】
【０００３】
【特許文献１】特開２０１３−２１８４３７号公報
【発明の概要】
【発明が解決しようとする課題】
【０００４】
ところが、上記のようなセルフレジやセミセルフレジでは、顧客側に精算装置を設置する必要がある。このため、設置スペースの確保が課題になっており、装置の小型化が望まれている。
【０００５】
したがって、本発明は、小型化可能な貨幣処理装置及び精算システムの提供を目的とする。
【課題を解決するための手段】
【０００６】
上記目的を達成するために、本発明に係る貨幣処理装置の第１の態様は、紙幣投入口に投入された紙幣を処理する紙幣処理部と、前記紙幣投入口に隣接して設けられ、硬貨が投入される硬貨投入口と、前記硬貨投入口に投入された硬貨を下方に誘導する誘導部と、前記紙幣処理部の下方に配置され、前記硬貨投入口に投入され前記誘導部で誘導された硬貨を処理する硬貨処理部とを備えることを特徴とする。
【０００７】
上記第１の態様によれば、紙幣を処理する紙幣処理部の下方に、硬貨を処理する硬貨処理部が設けられているため、これらを装置幅方向に並べて配置する場合と比べて装置幅方向の寸法を小型化可能となる。また、紙幣投入口に隣接して硬貨投入口が設けられているため、紙幣および硬貨の投入操作が容易となる。
【０００８】
本発明に係る貨幣処理装置の第２の態様は、上記第１の態様において、前記紙幣処理部から繰り出された紙幣を取り出し可能とする紙幣出金口を有し、前記紙幣投入口および前記紙幣出金口は、装置幅方向に長く、装置幅方向の位置を重ね合わせて装置前後方向に並設され、前記硬貨投入口は、前記紙幣投入口に対し装置幅方向に隣接して設けられていることを特徴とする。
【０００９】
上記第２の態様によれば、紙幣投入口及び紙幣出金口が、装置幅方向に長く、装置幅方向の位置を重ね合わせて装置前後方向に並設され、硬貨投入口が、紙幣投入口に対し装置幅方向に隣接して設けられているため、これらをコンパクトに配置することができる。よって、貨幣の投入操作及び紙幣の取り出し操作が容易となる。
【００１０】
本発明に係る貨幣処理装置の第３の態様は、上記第１または第２の態様において、前記硬貨処理部の下方に該硬貨処理部から繰り出された硬貨を収納する回収硬貨収納部が設けられていることを特徴とする。
【００１１】
上記第３の態様によれば、硬貨処理部の下方に回収硬貨収納部が設けられているため、装置幅方向の寸法の大型化を抑制しつつ、硬貨処理部からの硬貨回収を容易且つ即座に行うことが可能となる。
【００１２】
本発明に係る貨幣処理装置の第４の態様は、上記第１乃至第３のいずれか一態様において、前記硬貨処理部の下方に棒金収納部が設けられていることを特徴とする。
【００１３】
上記第４の態様によれば、硬貨処理部の下方に棒金収納部が設けられているため、装置幅方向の寸法の大型化を抑制しつつ、硬貨処理部への硬貨補充を容易且つ即座に行うことが可能となる。
【００１４】
本発明に係る精算システムの態様は、上記第１乃至第４のいずれか一態様の貨幣処理装置を含んで構成されて、精算処理を行う。
【００１５】
上記第５の態様によれば、その貨幣処理装置が、紙幣を処理する紙幣処理部の下方に、硬貨を処理する硬貨処理部が設けられているため、これらを装置幅方向に並べて配置する場合と比べて装置幅方向の寸法を小型化可能となる。また、紙幣投入口に隣接して硬貨投入口が設けられているため、紙幣および硬貨の投入操作が容易となる。
【発明の効果】
【００１６】
本発明によれば、小型化可能な貨幣処理装置及び精算システムを提供することができる。
【図面の簡単な説明】
【００１７】
【図１】本発明の一実施形態に係る貨幣処理装置を含む精算装置を示す斜視図である。
【図２】本発明の一実施形態に係る貨幣処理装置を含む精算装置を示す正面図である。
【図３】本発明の一実施形態に係る貨幣処理装置を含む精算装置を示す棚板を除いた側面図である。
【図４】本発明の一実施形態に係る貨幣処理装置を含む精算装置を示す平面図である。
【図５】本発明の一実施形態に係る貨幣処理装置を含む精算装置を示す上部カバー及び前面カバーを除いた正面図である。
【図６】本発明の一実施形態に係る精算システムの要部構成のブロック図である。
【図７】本発明の一実施形態に係る貨幣処理装置の上部カバー及び前面カバーを開いた状態を示す斜視図である。
【図８】本発明の一実施形態に係る貨幣処理装置の上部を示す斜視図である。
【図９】本発明の一実施形態に係る貨幣処理装置の前面カバーを開いて硬貨処理部及び収納ドロアを引き出した状態を示す斜視図である。
【図１０】本発明の一実施形態に係る貨幣処理装置の硬貨処理部の前部を示す斜視図である。
【図１１】本発明の一実施形態に係る貨幣処理装置の硬貨処理部の内部構成を概略的に示す平面図である。
【図１２】本発明の一実施形態に係る貨幣処理装置の硬貨処理部の内部構成を示す平面図である。
【図１３】本発明の一実施形態に係る貨幣処理装置の硬貨処理部の内部構成を概略的に示す側面図であって、出金搬送部等を示すものである。
【図１４】本発明の一実施形態に係る貨幣処理装置の硬貨処理部の内部構成を概略的に示す側面図であって、予備収納庫等を示すものである。
【図１５】本発明の一実施形態に係る貨幣処理装置の補充用貨幣収納部を示す斜視図である。
【図１６】本発明の一実施形態に係る貨幣処理装置の補充用貨幣収納部を示す収納筐体部の上板部を除いた平面図である。
【図１７】本発明の一実施形態に係る貨幣処理装置の補充用貨幣収納部を示す収納筐体部の上板部を除いた斜視図である。
【図１８】本発明の一実施形態に係る貨幣処理装置の紙幣処理部及び硬貨処理部を最大限引き出した状態を示す斜視図である。
【図１９】本発明の一実施形態に係る貨幣処理装置の紙幣処理部の内部構成を概略的に示す平面図である。
【図２０】本発明の一実施形態に係る貨幣処理装置の入金口カバー等を示す斜視図である。
【図２１】本発明の一実施形態に係る貨幣処理装置を含む精算装置の複数台のレイアウト例を示す平面図である。
【図２２】本発明の一実施形態に係る貨幣処理装置の硬貨投入口の変形例を示す斜視図である。
【図２３】本発明の一実施形態に係る貨幣処理装置を含む精算装置の変形例を示す正面図である。
【図２４】本発明の一実施形態に係る貨幣処理装置の変形例を示す斜視図である。
【図２５】本発明の一実施形態に係る貨幣処理装置の変形例を示す斜視図である。
【発明を実施するための形態】
【００１８】
本発明に係る一実施形態の貨幣処理装置及び精算システムを図面を参照して以下に説明する。なお、以下の説明において、「前」は前後方向の前側つまり操作者から見て手前側であり、「後」は前後方向の後側つまり操作者から見て奥側であり、「左」は操作者から見て左側であり、「右」は操作者から見て右側である。
【００１９】
図１〜図５は、貨幣処理装置１と貨幣処理装置１に載置された精算処理端末１１とを有する精算装置２０１を示すものである。精算装置２０１は、顧客が商品代金の精算を行うものであり、図６に示すように、レジ係員が購入商品のバーコードをスキャンして購入商品の登録を行う商品登録装置２０２とストアコントローラ２０３とに接続され、これらとでセミセルフレジ方式の精算システム（例えば、ＰＯＳシステム）２０４を構成する。精算装置２０１は商品登録装置２０２から送信された購入商品の情報に含まれる購入金額を顧客自身が精算するものであり、その際に、貨幣処理装置１は、精算処理端末１１に制御されて貨幣である硬貨及び紙幣の入出金処理を行う。
【００２０】
図１〜図５に示すように、貨幣処理装置１は、その外側部分を構成する箱状の装置筐体２１１を有している。装置筐体２１１は、フロアに設置される設置台２１２と、設置台２１２から上方に延出する筐体本体部２１３と、下部カバー２１４と、前面カバー２１５と、上部カバー２１６とを有している。
【００２１】
筐体本体部２１３は、設置台２１２から上方に延出しており、前面下部よりも前面上部が前方に突出するように段差状をなしている。筐体本体部２１３には、前面下部に下部開口部２２１が、前面下部よりも前方に位置する前面上部から上面前部にかけて上部開口部２２２が、それぞれ設けられている。
【００２２】
下部カバー２１４は、筐体本体部２１３の下部開口部２２１の右端側に設けられた回動中心を中心に鉛直軸回りに水平回動して下部開口部２２１を開閉する。下部カバー２１４は、手前に引かれて開き、奥方に押されて閉じる。下部カバー２１４には図示略の別体のキーの挿入回転操作で下部カバー２１４の閉状態でのロック及びロック解除を切り替える下部カバー錠２２４が左側に設けられている。筐体本体部２１３には、下部カバー２１４が開状態にあるか閉状態にあるかを検知する図示略の下部カバー開閉検知センサが設けられている。
【００２３】
前面カバー２１５は、図７に示すように、筐体本体部２１３の上部開口部２２２の下部右端側に設けられた回動中心を中心に鉛直軸回りに水平回動して上部開口部２２２の下部側を開閉する。前面カバー２１５は、手前に引かれて開き、奥方に押されて閉じる。図１，図２に示すように、前面カバー２１５には図示略の別体のキーの挿入回転操作で前面カバー２１５の閉状態でのロック及びロック解除を切り替える前面カバー錠２２６が左側に設けられている。前面カバー２１５には、その上下方向中間部の若干上部寄りに前面開口部２２７が若干右側に寄って設けられている。筐体本体部２１３には、前面カバー２１５が開状態にあるか閉状態にあるかを検知する図示略の前面カバー開閉検知センサが設けられている。
【００２４】
上部カバー２１６は、筐体本体部２１３の上部開口部２２２の後端部且つ上端部に設けられた回動中心を中心に左右軸回りに上下回動して、図７に示すように筐体本体部２１３の上部開口部２２２の上部を開閉する。上部カバー２１６は、上方に回動して開き、下方に回動して閉じる。上部カバー２１６は、前面カバー２１５に設けられた図１，図２に示す前面カバー錠２２６で前面カバー２１５と共に閉状態でのロック及びロック解除が切り替えられる。図１に示すように、上部カバー２１６には、その前面下部に下部開口部２３１が設けられており、その前面上部から上面にかけて上部開口部２３２が設けられている。また、上部カバー２１６には、その上面の上部開口部２３２よりも右側に、外部から硬貨が投入される硬貨投入口２３４が設けられている。筐体本体部２１３には、上部カバー２１６が開状態にあるか閉状態にあるかを検知する図示略の上部カバー開閉検知センサが設けられている。貨幣処理装置１は、前面カバー２１５及び上部カバー２１６が共に閉じられた状態が、顧客に対し代金支払いのための入出金を行う通常使用状態となっている。
【００２５】
筐体本体部２１３の上部開口部２２２よりも後側の上面を構成する天板２４１には、近接するＩＣカードや挿入される磁気カード等から情報を読み出すカード読取部１５が設けられており、その後側に、貨幣処理装置１の上位機となる精算処理端末１１が設けられている。図３，図４に示すように、筐体本体部２１３の天板２４１の上面には、精算処理端末１１よりも後側に、貨幣処理装置１の異常発生時等に点灯して従業員に報知を行うパトランプ等の警告灯２４３が設けられている。なお、警告灯２４３の代わりに、例えば、受付システムの発券機で発券された受付番号を表示する呼出表示器を精算装置２０１に接続するように設けて、通常の運用状態では精算装置２０１の識別番号を表示し、エラー発生時、紙幣や硬貨のフル(ニアフル)時、紙幣や硬貨のエンド(ニアエンド)時等の障害発生時には、文字、記号、色、点滅等で装置状態等を従業員に知らせるための表示を行うようにしてもよい。
【００２６】
天板２４１には、図示は略すが引掛部や突起部が設けられており、これらを使って上位機である精算処理端末１１を物理的に固定するようになっている。筐体本体部２１３において天板２４１は交換可能であり、種類の異なる精算処理端末１１の物理的な設置を天板２４１のみの設計変更で容易に行えるようになっている。例えば、図８に示すように天板２４１を長方形状の天板部本体２４５と、天板部本体２４５から側方に突出する突出板部２４６とを有する形状とすることにより、天板部本体２４５に精算処理端末１１及び警告灯２４３を設け、突出板部２４６に、精算装置２０１のオプションとして、精算情報を用紙に印字したレシートを発行するレシートプリンタや、クレジットカードやポイントカード等のカード処理機、スキャナ等の読み取り機などを取り付けることが可能になる。筐体本体部２１３の天板２４１を除く部分には、天板２４１を固定するための例えばビス穴が６箇所があり、天板２４１の交換が容易となっている。このようにして、天板２４１のサイズを大きくしても筐体本体部２１３のサイズは変えずに上記オプション類を設置することを可能としている。なお、天板２４１自体にもオプション類を物理的に設置・固定をするための穴や引掛部を設けるなどの対応も可能である。
【００２７】
図６に示す商品登録装置２０２は、顧客の買い上げ商品の登録を行うものであり、レジ係員により操作入力がなされると共に操作者に対して表示を行うタッチパネル式の操作表示部２５１と、購入商品のバーコード等の商品コードを読み取る商品コード読取部２５２と、購入商品の情報を含む代金情報を取引番号と共に用紙に印字した支払シートを発行する支払シートプリンタ２５３と、これらを制御する登録制御部２５４とを有している。登録制御部２５４は、一の取り引きに対して、商品コード読取部２５２で読み取った購入商品の情報を含む代金情報と取引番号とを関連付けてストアコントローラ２０３に送信し記憶させる。
【００２８】
貨幣処理装置１は、購入商品の代金の入金及び釣銭の出金等を行う。精算処理端末１１は、操作者により操作入力がなされると共に操作者に対して商品の料金等の表示を行うタッチパネル式の操作表示部１３と、貨幣処理装置１を制御する端末本体１２とを有している。端末本体１２にはＩＤカードが走査されるとＩＤ情報を読み取るカード読取部１５が接続されている。端末本体１２は、これらと貨幣処理装置１とを制御する精算制御部１８を有している。貨幣処理装置１と精算処理端末１１とで構成される精算装置２０１は、商品登録装置２０２と共にストアコントローラ２０３に接続されており、操作表示部１３に入力された取引番号に関連付けられた代金情報をストアコントローラ２０３から読み出して操作表示部１３に表示させる等する。
【００２９】
貨幣処理装置１は、図１に示すように、閉状態にある前面カバー２１５の前面開口部２２７から一部前方に突き出して貨幣処理装置１外に露出する硬貨処理部５を有している。図７に示すように前面カバー２１５を開くと硬貨処理部５が現れ、その保守等を行うことができる状態になる。硬貨処理部５は貨幣のうちの硬貨を処理するものであり、ユニット状であって、筐体本体部２１３に前後方向にスライド可能に支持されている。図７に示すように硬貨処理部５が筐体本体部２１３内に押し込まれると、前面カバー２１５を閉じることが可能となり、前面カバー２１５が開かれた状態で、図９に示すように、硬貨処理部５が筐体本体部２１３から引き出される。
【００３０】
硬貨処理部５には、図１０に示すように、上面前部の右側に、上方開口のホッパからなる硬貨入金口２２が設けられており、この硬貨入金口２２に硬貨が投入される。硬貨入金口２２の両側部及び後部には、上方に盛り上がる土手部２６１が形成されている。土手部２６１は、硬貨入金口２２に投入される硬貨が硬貨入金口２２外に零れるのを規制する。硬貨入金口２２は、図１に示すように、硬貨処理部５が筐体本体部２１３に押し込まれ、上部カバー２１６が閉じられた状態で、貨幣処理装置１外から硬貨投入口２３４に投入された硬貨を受け取る。図９に示すように、硬貨処理部５が筐体本体部２１３から引き出された状態で、硬貨入金口２２は、硬貨が直接投入可能となっている。硬貨入金口２２は、複数金種が混在する金種混合状態で硬貨が入れられることになり、このように入れられた硬貨を貯留しつつ一枚ずつ分離して硬貨処理部５内に繰り出す。
【００３１】
上部カバー２１６には、貨幣処理装置１が例えば通常使用状態にあって、上部カバー２１６が閉状態にあるときに、硬貨投入口２３４に投入された硬貨を鉛直下方に誘導する筒状の図７に示す誘導シュート２６５（誘導部）が取り付けられている。
【００３２】
図１０に示すように、硬貨処理部５には、上面の前部の左側に、操作者による操作入力が入力されると共に操作者に対して表示を行うタッチパネル式の操作表示部２３が設けられている。操作表示部２３は、後述する紙幣処理部６を含む貨幣処理装置１全体に関する操作入力を受け付けると共に貨幣処理装置１全体に関する表示を表示させる。
【００３３】
筐体本体部２１３には、硬貨処理部５を押し込まれた状態でロックする電磁ロックである図６に示す硬貨処理部ロック機構２７１が設けられている。硬貨処理部ロック機構２７１は、精算処理端末１１の精算制御部１８からの解除信号でロックが解除されることになり、ロックが解除されると、筐体本体部２１３から硬貨処理部５の引き出しが可能になる。その後、硬貨処理部５が筐体本体部２１３に押し込まれると硬貨処理部ロック機構２７１は、自動的に硬貨処理部５を筐体本体部２１３にロックする。硬貨処理部ロック機構２７１には、これがロック状態にあるかロック解除状態にあるかを検知する図示略のロック検知部が設けられており、精算処理端末１１の精算制御部１８は、このロック検知部の検知結果に基づいて硬貨処理部ロック機構２７１がロック状態にあるかロック解除状態にあるか、言い換えれば、筐体本体部２１３に硬貨処理部５が押し込まれた状態にあるか否かを判定する。ここで、硬貨処理部ロック機構２７１としては、精算制御部１８からの解除信号でロックが解除される電磁ロック以外にも、別体のキーでロックが解除されるシリンダ錠を用いることが可能である。
【００３４】
図１０に示すように、硬貨処理部５には、前面側に、硬貨入金口２２に投入されたものの硬貨処理部５で受け入れ不可と識別された受入不可硬貨を装置外に取り出し可能に貯留する硬貨リジェクト口２４と、硬貨の放出関連処理時に硬貨処理部５内から放出される硬貨を受け取って硬貨処理部５外に取り出し可能に貯留する硬貨出金口２５とが設けられている。硬貨リジェクト口２４と硬貨出金口２５とは、硬貨処理部５の前面よりも前方に突出しており、上方開口の受け皿状をなしている。図１に示すように、これら硬貨リジェクト口２４及び硬貨出金口２５は、閉状態にある前面カバー２１５の前面開口部２２７から前方に突き出して貨幣処理装置１外に露出する。この状態で、硬貨リジェクト口２４と硬貨出金口２５とは、貨幣処理装置１の前部において左右方向に並設される。図９に示すように、硬貨入金口２２及び操作表示部２３は、前面カバー２１５が開かれ、硬貨処理部５が筐体本体部２１３から引き出された状態で、貨幣処理装置１外に露出する一方、図１に示すように、硬貨処理部５が筐体本体部２１３に押し込まれ前面カバー２１５が閉じられた状態では貨幣処理装置１外に露出しない。
【００３５】
硬貨処理部５は、図１１に示す概略構成となっている。硬貨処理部５には、硬貨入金口２２に入れられた硬貨を一枚ずつ分離して左方に搬送する第１入金搬送路３１と、第１入金搬送路３１で搬送されてきた硬貨を後方に向けて搬送する第２入金搬送路３２と、第２入金搬送路３２に設けられ、第２入金搬送路３２で後方に向けて搬送される硬貨を識別する硬貨識別部３３とが設けられている。
【００３６】
ここで、硬貨識別部３３で受け入れ不可と識別された受入不可硬貨は、第２入金搬送路３２のスイッチバックによる逆転搬送で前方に搬送される。硬貨処理部５には、硬貨識別部３３よりも前側に第２入金搬送路３２から硬貨を落下させる開閉可能なリジェクト振分ゲート３６が設けられている。リジェクト振分ゲート３６は、閉状態では第２入金搬送路３２から硬貨を落下させることはなく、開作動することで、上記の第２入金搬送路３２の逆転搬送で前方に向けて搬送される受入不可硬貨を第２入金搬送路３２から落下させる。硬貨処理部５には、リジェクト振分ゲート３６で第２入金搬送路３２から落下させられた硬貨を硬貨リジェクト口２４に案内するリジェクトシュータ３７が設けられている。
【００３７】
硬貨処理部５には、硬貨識別部３３よりも後方に、それぞれが所定の単一金種のバラ硬貨を収納すると共に、収納しているバラ硬貨を繰り出す複数の金種別のスタッカ４１ａ，４１ｂ，４１ｃ，４１ｄ，４１ｅ，４１ｆが設けられている。金種別のスタッカ４１ａ〜４１ｆは、それぞれが左右方向に長い形状をなしており、左右方向の位置を合わせて前後方向に並んで配置されている。例えば、最も前側のスタッカ４１ａには１円硬貨が、前側から二番目のスタッカ４１ｂには１０円硬貨が、前側から三番目のスタッカ４１ｃには１００円硬貨が、前側から四番目のスタッカ４１ｄには５円硬貨が、前側から五番目のスタッカ４１ｅには５０円硬貨が、最も後側のスタッカ４１ｆには５００円硬貨が、それぞれ収納される。これは一例であり、スタッカ４１ａ〜４１ｆは、それぞれに単一金種のバラ硬貨を収納するようにすれば、いずれの金種を収納するように設定することも勿論可能である。
【００３８】
第２入金搬送路３２は、すべてのスタッカ４１ａ〜４１ｆを前後方向に結ぶように延在しており、硬貨処理部５には、硬貨識別部３３よりも後方側に、第２入金搬送路３２から硬貨を落下させる開閉可能な複数の金種振分ゲート４２ａ，４２ｂ，４２ｃ，４２ｄ，４２ｅ，４２ｆが設けられている。金種振分ゲート４２ａ〜４２ｆは、いずれも、閉状態では第２入金搬送路３２から硬貨を落下させることはなく、開作動時に第２入金搬送路３２から硬貨を落下させる。金種振分ゲート４２ａ〜４２ｆは、硬貨識別部３３の識別結果に基づいて対応する金種の硬貨をスタッカ４１ａ〜４１ｆの対応する金種のものに落下させる。
【００３９】
つまり、金種振分ゲート４２ａ〜４２ｆのうち最も前側の金種振分ゲート４２ａは、開作動時に、スタッカ４１ａ〜４１ｆのうち最も前側のスタッカ４１ａに第２入金搬送路３２から硬貨を落下させることになる。同様に、前から二番目の金種振分ゲート４２ｂが前から二番目のスタッカ４１ｂに、前から三番目の金種振分ゲート４２ｃが前から三番目のスタッカ４１ｃに、前から四番目の金種振分ゲート４２ｄが前から四番目のスタッカ４１ｄに、前から五番目の金種振分ゲート４２ｅが前から五番目のスタッカ４１ｅに、最も後側の金種振分ゲート４２ｆが最も後側のスタッカ４１ｆに、それぞれ開作動時に第２入金搬送路３２から硬貨を落下させる。
【００４０】
ここで、上記した第１入金搬送路３１、第２入金搬送路３２及び金種振分ゲート４２ａ〜４２ｆが、硬貨入金口２２に入れられた硬貨をスタッカ４１ａ〜４１ｆに搬送する入金搬送部４３を構成している。入金搬送部４３は硬貨処理部５に設けられている。
【００４１】
スタッカ４１ａ〜４１ｆは、それぞれが収納している硬貨を一枚ずつに分離して右方に繰り出すことになり、硬貨処理部５には、スタッカ４１ａ〜４１ｆの右方に、スタッカ４１ａ〜４１ｆから繰り出された硬貨を前方に搬送する中間搬送路４６が設けられている。この中間搬送路４６は、前後方向に長く硬貨入金口２２に硬貨を搬送可能となっており、スタッカ４１ａ〜４１ｆのそれぞれに対して直交する方向に延在している。硬貨処理部５には、中間搬送路４６から硬貨を落下させる開閉可能な出金口振分ゲート４７が、硬貨入金口２２とスタッカ４１ａとの間に設けられている。出金口振分ゲート４７は、閉状態では中間搬送路４６から硬貨を落下させることはなく、開作動時に中間搬送路４６から硬貨を落下させる。硬貨処理部５には、出金口振分ゲート４７の下方に、出金口振分ゲート４７で中間搬送路４６から落下させられた硬貨を硬貨出金口２５に搬送する出金搬送路４８が設けられている。
【００４２】
硬貨処理部５には、スタッカ４１ａよりも前方に、バラ硬貨を収納すると共に、収納しているバラ硬貨を繰り出す予備収納庫５１が設けられている。予備収納庫５１は、前後方向に長い形状をなしており、中間搬送路４６の左側に、これと平行に並んで設けられている。予備収納庫５１は、スタッカ４１ａ〜４１ｆのそれぞれに対して直交する方向に延在している。
【００４３】
硬貨処理部５には、硬貨入金口２２と出金口振分ゲート４７との間に、中間搬送路４６から硬貨を落下させる開閉可能な予備振分ゲート５２が設けられている。予備振分ゲート５２は、閉状態では中間搬送路４６から硬貨を落下させることはなく、開作動時に中間搬送路４６から硬貨を落下させる。中間搬送路４６は、予備振分ゲート５２から落下しなかった硬貨を末端から硬貨入金口２２に落下させる。硬貨処理部５には、予備振分ゲート５２の下方に、予備振分ゲート５２で中間搬送路４６から落下させられた硬貨を予備収納庫５１に案内する予備収納庫シュータ５３が設けられている。
【００４４】
予備収納庫５１は、収納している硬貨を一枚ずつに分離して後方に繰り出すことになり、硬貨処理部５には、予備収納庫５１とスタッカ４１ａとの間に、予備収納庫５１から繰り出された硬貨を左右に振り分け搬送する振分搬送部５６が設けられている。この振分搬送部５６は、左右方向に長く、予備収納庫５１と直交し、スタッカ４１ａ〜４１ｆのそれぞれに対して平行する方向に延在している。振分搬送部５６は、予備収納庫５１から繰り出された硬貨を右方に搬送して中間搬送路４６のスタッカ４１ａと出金口振分ゲート４７との間位置に繰り出す。この振分搬送部５６の左方には、硬貨処理部５から下方に開口する繰出口５７が設けられており、振分搬送部５６は、予備収納庫５１から繰り出された硬貨を左方に搬送して繰出口５７に落下させる。このように振分搬送部５６が繰出口５７に落下させた硬貨は、硬貨処理部５から繰り出されて下方に落下する。
【００４５】
ここで、中間搬送路４６、出金搬送路４８、出金口振分ゲート４７、予備振分ゲート５２及び予備収納庫シュータ５３が、スタッカ４１ａ〜４１ｆから繰り出された硬貨を硬貨出金口２５、予備収納庫５１及び硬貨入金口２２に選択的に搬送する出金搬送部５８を構成している。出金搬送部５８は硬貨処理部５に設けられており、よって硬貨処理部５に設けられている。振分搬送部５６は、予備収納庫５１から繰り出された硬貨を、出金搬送部５８及び繰出口５７に選択的に搬送する。その結果、予備収納庫５１は、出金搬送部５８で搬送される硬貨を収納可能であると共に、収納している硬貨を振分搬送部５６を介して出金搬送部５８に繰り出し可能となっている。
【００４６】
図１２に示すように、第１入金搬送路３１は、硬貨入金口２２の鉛直下方から左方に延出する無端のベルトコンベア６１と、硬貨入金口２２よりも左側においてベルトコンベア６１の上側に配置され、ベルトコンベア６１の搬送方向とは逆方向に対向部分を移動させる分離ローラ６２とを有している。第１入金搬送路３１は、硬貨入金口２２に投入された硬貨を、回転するベルトコンベア６１によって左方に送り、途中位置に設けられた分離ローラ６２で一枚ずつに分離して更に左方に搬送する。
【００４７】
第１入金搬送路３１は、分離ローラ６２で一枚ずつに分離されてベルトコンベア６１で左方に搬送されてきた硬貨を更に搬送する通路６３及び搬送ベルト６４を有している。通路６３及び搬送ベルト６４は、左右方向に延在しており、ベルトコンベア６１から通路６３上に送り出された硬貨を搬送ベルト６４が上側から通路６３に押し付けて更に左方に搬送する。
【００４８】
第２入金搬送路３２は、第１入金搬送路３１の通路６３及び搬送ベルト６４で搬送されてきた硬貨を更に搬送する通路７１及び搬送ベルト７２を有している。通路７１及び搬送ベルト７２は、前後方向に延在しており、第１入金搬送路３１から通路７１上に送り出された硬貨を搬送ベルト７２が上側から通路７１に押し付けて後方に搬送する。
【００４９】
硬貨識別部３３は、通路７１の一部を構成するように設けられており、搬送ベルト７２で搬送されて通過する硬貨をその画像や材質から識別する。硬貨識別部３３は、硬貨が受け入れ可能な受入可能硬貨であるか、受け入れ不可な受入不可硬貨であるかを識別し、受入可能硬貨については金種を識別して計数する。
【００５０】
リジェクト振分ゲート３６は、第２入金搬送路３２における第１入金搬送路３１と硬貨識別部３３との間位置に配置されており、閉状態では通路７１の一部を構成する。リジェクト振分ゲート３６は、開状態ではその硬貨識別部３３側が通路７１よりも上側に位置するように回動し、この状態で搬送ベルト７２によって硬貨識別部３３側から通路７１上を移動させられる硬貨を落下させる。リジェクト振分ゲート３６で第２入金搬送路３２から落下させられた硬貨は、リジェクトシュータ３７を介して硬貨リジェクト口２４に放出される。
【００５１】
金種振分ゲート４２ａ〜４２ｆは、第２入金搬送路３２における硬貨識別部３３に対して第１入金搬送路３１とは反対側に直列状に配置されており、いずれも閉状態では通路７１の一部を構成する。金種振分ゲート４２ａ〜４２ｆは、いずれも開状態ではその硬貨識別部３３側が通路７１よりも上側に位置するように回動し、この状態で搬送ベルト７２により硬貨識別部３３側から通路７１上を移動する硬貨を落下させる。金種振分ゲート４２ａ〜４２ｆで第２入金搬送路３２から落下させられた硬貨は、スタッカ４１ａ〜４１ｆの対応するものに収納される。ここで、精算処理端末１１の精算制御部１８は、硬貨識別部３３の識別結果に基づいて、各スタッカ４１ａ〜４１ｆへの硬貨の入金量を把握する。
【００５２】
スタッカ４１ａ〜４１ｆは、それぞれ、壁部７６と、壁部７６の下側に配置されて左右に延在する無端のベルトコンベア７７と、ベルトコンベア７７の上側に配置された分離ローラ７８とを有している。スタッカ４１ａ〜４１ｆは、それぞれ、壁部７６内の分離ローラ７８よりも左方のベルトコンベア７７上に金種振分ゲート４２ａ〜４２ｆから落下する硬貨を収納することになり、ベルトコンベア７７は、収納している硬貨を右方に搬送する。分離ローラ７８は、ベルトコンベア７７の搬送方向とは逆方向に対向部分を移動させることにより、ベルトコンベア７７上の硬貨を一枚ずつに分離する。ベルトコンベア７７は、分離ローラ７８で一枚ずつに分離された硬貨を更に右方に搬送する。スタッカ４１ａ〜４１ｆは、それぞれ、ベルトコンベア７７の右端位置に、ベルトコンベア７７及び分離ローラ７８で一枚ずつに分離されて搬送される硬貨を計数しつつ一枚ずつ中間搬送路４６に繰り出す繰出機構７９を有している。ここで、精算処理端末１１の精算制御部１８は、上記のように各スタッカ４１ａ〜４１ｆへの硬貨の入金量を把握しており、これと繰出機構７９の計数値とから、各スタッカ４１ａ〜４１ｆに収納されている硬貨の収納量を把握する。
【００５３】
スタッカ４１ａ〜４１ｆの右側には、前後方向に延在する無端のベルトコンベア８１が設けられている。このベルトコンベア８１は、図１３に示すようにスタッカ４１ａ〜４１ｆに近い部分が中間搬送路４６を構成する中間搬送路構成部８２となっており、スタッカ４１ａ〜４１ｆから遠い部分が出金搬送路４８を構成する出金搬送路構成部８３となっている。中間搬送路構成部８２のうちスタッカ４１ａ〜４１ｆに近い部分は、水平に配置されており、スタッカ４１ａ〜４１ｆから繰り出された硬貨を上面に受け入れる。中間搬送路構成部８２のうちスタッカ４１ａ〜４１ｆから遠い前側の部分は、前上がりに傾斜している。出金搬送路構成部８３は、中間搬送路構成部８２の前側の部分から段差状をなして下側に配置されて前方に延出している。
【００５４】
ベルトコンベア８１の中間搬送路構成部８２の上側には、スタッカ４１ａ〜４１ｆよりも前側に分離ローラ８５が配置されている。分離ローラ８５は、中間搬送路構成部８２の搬送方向とは逆方向に対向部分を移動させることにより、中間搬送路構成部８２上の硬貨を一枚ずつに分離して前方に繰り出させる。ベルトコンベア８１の中間搬送路構成部８２及び分離ローラ８５は、中間搬送路４６を構成している。
【００５５】
ベルトコンベア８１の中間搬送路構成部８２よりも前方には、分離ローラ８５で一枚ずつに分離されてベルトコンベア８１の中間搬送路構成部８２で前方に搬送されてきた硬貨を更に前方に搬送する通路８７及び搬送ベルト８８が設けられている。通路８７及び搬送ベルト８８は、中間搬送路構成部８２の前側で前後方向に延在しており、通路８７は、中間搬送路構成部８２の前上がりの部分の延長線上で前上がりに傾斜している。通路８７及び搬送ベルト８８は、ベルトコンベア８１の中間搬送路構成部８２から通路８７上に送り出された硬貨を搬送ベルト８８が上側から通路８７に押し付けて更に前方に搬送する。
【００５６】
通路８７に出金口振分ゲート４７が設けられている。出金口振分ゲート４７は、閉状態では通路８７の一部を構成している。出金口振分ゲート４７は、開状態ではその中間搬送路構成部８２側が通路８７よりも上側に位置するように回動し、この状態でベルトコンベア８１の中間搬送路構成部８２により通路８７側に搬送される硬貨を落下させる。出金口振分ゲート４７で中間搬送路構成部８２から落下させられた硬貨は、ベルトコンベア８１の出金搬送路構成部８３上に落下する。
【００５７】
予備振分ゲート５２は、通路８７の出金口振分ゲート４７よりも中間搬送路構成部８２とは反対側に設けられており、閉状態では通路８７の一部を構成している。予備振分ゲート５２は、開状態ではその中間搬送路構成部８２側が通路８７よりも上側に位置するように回動し、この状態で搬送ベルト８８により通路８７上を移動する硬貨を落下させる。予備振分ゲート５２で通路８７から落下させられた硬貨は、予備収納庫シュータ５３を介して図１２に示す予備収納庫５１に落下する。
【００５８】
図１３に示す通路８７及び搬送ベルト８８は、出金口振分ゲート４７及び予備振分ゲート５２のいずれでも落下させなかった硬貨を末端位置から硬貨入金口２２を介して第１入金搬送路３１のベルトコンベア６１上に落下させる。
【００５９】
ベルトコンベア８１の中間搬送路構成部８２及び分離ローラ８５に加えて、通路８７及び搬送ベルト８８が、スタッカ４１ａ〜４１ｆから繰り出された硬貨を硬貨入金口２２に搬送可能な中間搬送路４６を構成している。
【００６０】
ベルトコンベア８１の出金搬送路構成部８３の上側には、分離ローラ９１が配置されている。分離ローラ９１は、出金搬送路構成部８３の搬送方向とは逆方向に対向部分を移動させることにより、出金搬送路構成部８３上の硬貨を一枚ずつに分離する。出金搬送路構成部８３は、分離ローラ９１で一枚ずつに分離された硬貨を前方に搬送する。
【００６１】
ベルトコンベア８１の出金搬送路構成部８３よりも前方には、分離ローラ９１で一枚ずつに分離されてベルトコンベア８１の出金搬送路構成部８３で前方に搬送されてきた硬貨を更に前方に搬送する通路９２及び搬送ベルト９３が設けられている。通路９２及び搬送ベルト９３は、出金搬送路構成部８３の前側で前後方向に延在しており、出金搬送路構成部８３から通路９２上に送り出された硬貨を搬送ベルト９３が上側から通路９２に押し付けて更に前方に搬送する。通路９２及び搬送ベルト９３は、硬貨を末端位置から硬貨出金口２５に放出する。
【００６２】
ベルトコンベア８１の出金搬送路構成部８３、分離ローラ９１、通路９２及び搬送ベルト９３が、出金口振分ゲート４７で中間搬送路４６から落下させられた硬貨を硬貨出金口２５に搬送する出金搬送路４８を構成している。この出金搬送路４８は、スタッカ４１ａ〜４１ｆから繰り出され中間搬送路４６で搬送されてきた硬貨を硬貨出金口２５に搬送する。
【００６３】
図１４に示すように、予備収納庫５１は、壁部９５と、壁部９５の下部に配置されて前後方向に延在する無端のベルトコンベア９６とを有している。ベルトコンベア９６は、その後側の部分が鉛直に近い角度で後ろ上がりに立ち上がっており、図示略の係止片で硬貨を一枚ずつ持ち上げて振分搬送部５６に繰り出す。これにより、予備収納庫５１は、硬貨を一枚ずつに分離して振分搬送部５６に繰り出す。
【００６４】
振分搬送部５６は、図１２に示すように、左右方向に延在するベルトコンベア９８と、その上側の分離ローラ９９と、ベルトコンベア９８と繰出口５７とを結ぶように延在する通路１００と、通路１００上で左右方向に延在する無端の搬送ベルト１０１とを有している。ベルトコンベア９８は、通路１００と中間搬送路４６のベルトコンベア８１とを結ぶように設けられており、予備収納庫５１よりも通路１００側に分離ローラ９９が設けられている。分離ローラ９９は、ベルトコンベア９８の通路１００側への搬送方向とは逆方向に対向部分を移動させることにより、ベルトコンベア９８上の硬貨を一枚ずつに分離することになり、ベルトコンベア９８は、分離ローラ９９で一枚ずつに分離された硬貨を通路１００側に搬送する。ベルトコンベア９８の他端側は、ベルトコンベア８１のスタッカ４１ａと分離ローラ８５との間位置に硬貨を繰り出すようになっている。通路１００には、搬送ベルト１０１で繰出口５７側に搬送される硬貨の金種を識別しつつ計数する繰出識別部１０２が設けられている。ここで、精算処理端末１１の精算制御部１８は、繰出識別部１０２の計数結果から、繰出口５７に落下する硬貨の在高を把握している。
【００６５】
図５に示すように、貨幣処理装置１は、硬貨処理部５の下部に固定されたトレー装填部１１０に装填されて、硬貨処理部５から繰り出された硬貨を収納する回収硬貨収納トレー１１１（回収硬貨収納部）を有している。図７に示す状態から、図９に示すように硬貨処理部５が筐体本体部２１３から引き出されると、硬貨処理部５のトレー装填部１１０に装填された回収硬貨収納トレー１１１も一緒に引き出される。貨幣処理装置１が例えば通常使用状態にあるとき、トレー装填部１１０に装填された状態の回収硬貨収納トレー１１１は、硬貨処理部５と水平方向の位置を重ね合わせており、硬貨処理部５の鉛直下方に配置されている。回収硬貨収納トレー１１１は、図９に示すように、前面カバー２１５が開かれた状態で、貨幣処理装置１外に露出することになり、この状態で、トレー装填部１１０から引き出されて取り出される。他方、回収硬貨収納トレー１１１は、貨幣処理装置１が例えば図１，図２に示す通常使用状態にあって、前面カバー２１５が閉じられた状態では貨幣処理装置１外に露出しない。回収硬貨収納トレー１１１は、上方開口の有底箱状であり、貨幣処理装置１が例えば通常使用状態にあって、回収硬貨収納トレー１１１がトレー装填部１１０に装填された状態で、硬貨処理部５の図１１，図１２に示す繰出口５７から落下する硬貨を受け入れて収納する。回収硬貨収納トレー１１１は、硬貨を金種混合の状態で一括して３００枚程度収納可能である。選択により、指定金種のみの回収も行うことができる。
【００６６】
トレー装填部１１０には、回収硬貨収納トレー１１１を押し込まれた状態でロックする電磁ロックである図６に示すトレーロック機構１１２が設けられている。このトレーロック機構１１２は、精算処理端末１１の精算制御部１８からの解除信号でロックが解除されることになり、ロックが解除されると、トレー装填部１１０から回収硬貨収納トレー１１１の引き出し及び取り外しが可能になる。その後、回収硬貨収納トレー１１１がトレー装填部１１０に押し込まれるとトレーロック機構１１２は、自動的に回収硬貨収納トレー１１１をトレー装填部１１０にロックする。トレーロック機構１１２には、これがロック状態にあるかロック解除状態にあるかを検知する図示略のロック検知部が設けられており、精算処理端末１１の精算制御部１８は、このロック検知部の検知結果に基づいてトレーロック機構１１２がロック状態にあるかロック解除状態にあるか、言い換えれば、トレー装填部１１０に回収硬貨収納トレー１１１がセットされた状態にあるか否かを判定する。
【００６７】
なお、回収硬貨収納トレー１１１に替えて、硬貨を６００枚程度収納可能な回収硬貨収納金庫を設けても良い。回収硬貨収納金庫は、トレー装填部１１０に装填された状態で開状態となり、トレー装填部１１０から引き出されると自動的に閉状態となってロックされるシャッタが設けられた開口部を有しており、この開口部を介して硬貨処理部５の繰出口５７から落下する硬貨を受け入れて収納する。回収硬貨収納金庫は、別体のキーによるキー操作で閉状態でのロックが解除されて開状態になると、硬貨が取り出し可能となる。このように鍵付きのカセットである回収硬貨収納金庫とすれば、従業員が現金に手を触れることなく硬貨の回収が可能になり、セキュリティの向上も図れる。
【００６８】
トレー装填部１１０には、セットされた状態の回収硬貨収納トレー１１１に収納されている硬貨が満杯状態にあるか否かを検知する図示略のトレーフル検知部が設けられている。精算処理端末１１の精算制御部１８は、トレーフル検知部の検知結果から回収硬貨収納トレー１１１に収納されている硬貨が満杯状態にあるか否かを判定する。
【００６９】
貨幣処理装置１が例えば通常使用状態にあるとき、筐体本体部２１３内に押し込まれた状態の硬貨処理部５に装填された状態の回収硬貨収納トレー１１１の鉛直下方、つまり筐体本体部２１３内に押し込まれた状態の硬貨処理部５の鉛直下方に、図５に示すユニット状の補充用貨幣収納部１５７（棒金収納部）を有している。補充用貨幣収納部１５７は、貨幣処理装置１が例えば図１，図２に示す通常使用状態にあって、前面カバー２１５が閉じられた状態では貨幣処理装置１外に露出せず、図９に示すように前面カバー２１５が開かれた状態で貨幣処理装置１外に露出する。補充用貨幣収納部１５７は、貨幣処理装置１が例えば通常使用状態にあるとき、筐体本体部２１３内に押し込まれた硬貨処理部５及びこれに装填された回収硬貨収納トレー１１１と水平方向の位置を重ね合わせている。
【００７０】
図１５に示すように、補充用貨幣収納部１５７は、前方に開口する箱形の収納筐体部１５５と、収納筐体部１５５に対して図９に示すように前方に水平に引き出し可能に支持された収納ドロア１５６とを有している。収納ドロア１５６の前面には、ＬＥＤからなる表示ランプ１５９が設けられている。補充用貨幣収納部１５７は、収納筐体部１５５において筐体本体部２１３に固定されている。
【００７１】
図１５に示すように、補充用貨幣収納部１５７は、収納筐体部１５５に収納ドロア１５６が押し込まれた閉状態では、収納ドロア１５６内への操作者によるアクセスが不可であり、収納ドロア１５６が収納筐体部１５５から引き出された開状態で、収納ドロア１５６内への操作者によるアクセスが可能となる。補充用貨幣収納部１５７には、収納筐体部１５５に収納ドロア１５６を閉状態でロックする電磁ロックであるドロアロック機構１６１が設けられている。ドロアロック機構１６１は、精算処理端末１１の精算制御部１８からの解除信号でロックが解除されることになり、ロックが解除されると、収納筐体部１５５から収納ドロア１５６を少し突出させる。これにより、収納筐体部１５５からの収納ドロア１５６の引き出しが可能になる。その後、収納ドロア１５６が収納筐体部１５５に押し込まれて閉状態になるとドロアロック機構１６１は、自動的に収納ドロア１５６を収納筐体部１５５にロックする。
【００７２】
ドロアロック機構１６１には、これがロック状態にあるかロック解除状態にあるかを検知する図示略のロック検知部が設けられており、精算処理端末１１の精算制御部１８は、このロック検知部の検知結果に基づいてドロアロック機構１６１がロック状態にあるかロック解除状態にあるか、言い換えれば、収納筐体部１５５に収納ドロア１５６が押し込まれた状態にあるか否かを判定する。この判定に基づいて、精算処理端末１１の精算制御部１８は、ドロアロック機構１６１がロック状態にあるかロック解除状態にあるかを、状態告知部としての表示ランプ１５９の異なる表示で操作者に報知する。例えば、ドロアロック機構１６１がロック状態にあるとき表示ランプ１５９を点灯させ、ドロアロック機構１６１がロック解除状態にあるとき表示ランプ１５９を点滅させる。或いは、ドロアロック機構１６１がロック状態にあるとき緑色点灯としロック解除状態にあるとき赤色点滅とする。これらに加えて図示略の状態告知部としてのスピーカによる音声で報知しても良い。ここで、ドロアロック機構１６１としては、精算制御部１８からの解除信号でロックが解除される電磁ロック以外にも、別体のキーでロックが解除されるシリンダ錠を用いることが可能である。
【００７３】
収納ドロア１５６には、図１６，図１７に示すように、最も前側に、紙葉類を収納する紙葉類収納部１６７を設けるようにしてもよい。紙葉類収納部１６７は、バラ紙幣、商品券、クレジットの明細書等の金融的価値がある紙葉類を収納するもので、収納ドロア１５６に固定されたトレー状の収納部本体１６８と、収納部本体１６８に収納された紙葉類を覆うように収納部本体１６８に着脱可能に取り付けられる蓋部１６９とを有している。蓋部１６９は、収納部本体１６８を開閉可能であれば収納部本体１６８に対して揺動可能に連結されていても良い。収納部本体１６８には、例えば、金種混合のバラ紙幣が一括で５０枚程度収納可能となっている。
【００７４】
収納ドロア１５６には、紙葉類収納部１６７の後側に、バラ硬貨を収納するトレー状のバラ硬貨収納部１７１と、貨幣以外の収納物を収納するトレー状の貨幣以外収納部１７２とが固定されている。これらバラ硬貨収納部１７１及び貨幣以外収納部１７２は、前後方向の位置を合わせて左右に並設されている。収納ドロア１５６に設けられたバラ硬貨収納部１７１は、回収硬貨収納トレー１１１とは別にバラ硬貨を収納する。バラ硬貨収納部１７１には、例えば、金種混合のバラ硬貨が一括で６０枚程度収納可能となっている。貨幣以外収納部１７２には、印鑑等が収納可能となっている。
【００７５】
収納ドロア１５６には、バラ硬貨収納部１７１及び貨幣以外収納部１７２の後側に、棒金を収納する棒金収納部１７５が固定されている。棒金は、単一金種の硬貨が規定枚数（例えば５０枚）集積され包装シートで包装されて一体化されたものである。棒金収納部１７５は、日本国内で主に流通している６金種の硬貨の棒金を収納可能である。棒金収納部１７５は、最も前側に１０円硬貨の棒金を収納する１０円硬貨トレー１７６と、１００円硬貨の棒金を収納する１００円硬貨トレー１７７とが設けられている。これら１０円硬貨トレー１７６及び１００円硬貨トレー１７７は、前後方向の位置を合わせて左右に並設されており、左側に１０円硬貨トレー１７６が、右側に１００円硬貨トレー１７７が設けられている。
【００７６】
１０円硬貨トレー１７６には、１０円棒金をその中心軸線が左右に延在する姿勢で水平移動を規制しつつ収納する１０円棒金単体収納部１７８が前後に複数箇所（具体的には四箇所）設けられている。１００円硬貨トレー１７７には、１００円棒金をその中心軸線が左右に延在する姿勢で水平移動を規制しつつ収納する１００円棒金単体収納部１７９が前後に複数箇所（具体的には四箇所）設けられている。
【００７７】
棒金収納部１７５は、１０円硬貨トレー１７６及び１００円硬貨トレー１７７の後側に、１円硬貨の棒金を収納する１円硬貨トレー１８１が設けられている。１円硬貨トレー１８１には、１円棒金をその中心軸線が左右に延在する姿勢で水平移動を規制しつつ収納する１円棒金単体収納部１８２が前後左右に複数箇所（具体的には四箇所）設けられている。
【００７８】
棒金収納部１７５は、１円硬貨トレー１８１の後側に、５円硬貨の棒金を収納する５円硬貨トレー１８５と、５０円硬貨の棒金を収納する５０円硬貨トレー１８６と、５００円硬貨の棒金を収納する５００円硬貨トレー１８７とが設けられている。これら５円硬貨トレー１８５、５０円硬貨トレー１８６及び５００円硬貨トレー１８７は、前端位置を合わせて左右に並設されており、左側から順に、５円硬貨トレー１８５、５０円硬貨トレー１８６、５００円硬貨トレー１８７が設けられている。
【００７９】
５円硬貨トレー１８５には、５円棒金をその中心軸線が前後に延在する姿勢で水平移動を規制しつつ収納する５円棒金単体収納部１９０が左右に複数箇所（具体的には二箇所）設けられている。５０円硬貨トレー１８６には、５０円棒金をその中心軸線が前後に延在する姿勢で水平移動を規制しつつ収納する５０円棒金単体収納部１９１が左右に複数箇所（具体的には二箇所）設けられている。５００円硬貨トレー１８７には、５００円棒金をその中心軸線が前後に延在する姿勢で水平移動を規制しつつ収納する５００円棒金単体収納部１９２が左右に複数箇所（具体的には二箇所）設けられている。
【００８０】
１０円棒金単体収納部１７８、１００円棒金単体収納部１７９、１円棒金単体収納部１８２、５円棒金単体収納部１９０、５０円棒金単体収納部１９１及び５００円棒金単体収納部１９２には、それぞれの底部に、一箇所に一つずつ、棒金の有無と棒金が収納対象でない異金種であるか収納対象の正金種であるかとを検出する磁気センサ等の図示略の棒金検知部が設けられている。精算処理端末１１の精算制御部１８は、棒金検知部の検知結果から、全ての棒金単体収納部１７８，１７９，１８２，１９０，１９１，１９２のそれぞれについて、棒金が収納されているか否かと、異金種の棒金が収納されているか正金種の棒金が収納されているかとを判定することになる。そして、精算制御部１８は、異金種の棒金が収納されていると、操作表示部１３に、異金種の棒金が収納されている場所を報知する。また、異金種の棒金が収納されていなければ、棒金の有無の結果から金種別の本数を割り出す。すなわち、補充用貨幣収納部１５７は、収納している棒金の金種及び数を検出することができる。
【００８１】
ここで、収納ドロア１５６の前面に、紙幣等の紙葉類を収納ドロア１５６内に挿入するためのスリットを設けても良い。これにより、収納ドロア１５６が収納筐体部１５５に押し込まれた閉状態にあっても収納ドロア１５６内（特に、紙葉類収納部１６７内）に紙幣等の紙葉類を収納可能となる。
【００８２】
図１に示すように、貨幣処理装置１は、通常使用状態等、閉状態にある上部カバー２１６の上部開口部２３２及び下部開口部２３１から装置外に一部露出する紙幣処理部６を有している。図１８に示すように、上部カバー２１６を開くと紙幣処理部６が現れ、その保守等を行うことができる状態になる。紙幣処理部６は貨幣のうちの紙幣を処理するものであり、ユニット状であって、筐体本体部２１３に前後方向にスライド可能に支持されている。図７に示すように紙幣処理部６が筐体本体部２１３内に押し込まれると、上部カバー２１６を図９に示すように閉じることが可能となり、図７に示すように上部カバー２１６が開かれた状態で、図１８に示すように紙幣処理部６が筐体本体部２１３から引き出される。紙幣処理部６は、硬貨処理部５の上方に配置されており、紙幣処理部６及び硬貨処理部５は、貨幣処理装置１が例えば通常使用状態にあって、共に筐体本体部２１３に押し込まれた状態で、水平方向の位置を重ね合わせている。言い換えれば、貨幣処理装置１が例えば通常使用状態にあるとき、硬貨処理部５は、紙幣処理部６の鉛直下方に配置されており、紙幣処理部６及び硬貨処理部５が水平方向の位置を重ね合わせて縦積みに配置されている。
【００８３】
筐体本体部２１３には、紙幣処理部６を押し込まれた状態でロックする電磁ロックである図６に示す紙幣処理部ロック機構２８１が設けられている。この紙幣処理部ロック機構２８１は、精算処理端末１１の精算制御部１８からの解除信号でロックが解除されることになり、ロックが解除されると、筐体本体部２１３から紙幣処理部６の引き出しが可能になる。その後、紙幣処理部６が筐体本体部２１３に押し込まれると紙幣処理部ロック機構２８１は、自動的に紙幣処理部６を筐体本体部２１３にロックする。紙幣処理部ロック機構２８１には、これがロック状態にあるかロック解除状態にあるかを検知する図示略のロック検知部が設けられており、精算処理端末１１の精算制御部１８は、このロック検知部の検知結果に基づいて紙幣処理部ロック機構２８１がロック状態にあるかロック解除状態にあるか、言い換えれば、筐体本体部２１３に紙幣処理部６が押し込まれた状態にあるか否かを判定する。ここで、紙幣処理部ロック機構２８１としては、精算制御部１８からの解除信号でロックが解除される電磁ロック以外にも、別体のキーでロックが解除されるシリンダ錠を用いることが可能である。
【００８４】
ここで、紙幣処理部６の筐体本体部２１３からの最大引き出し距離は、硬貨処理部５の筐体本体部２１３からの最大引き出し距離よりも短くなっている。そして、図１８に示すように共に筐体本体部２１３から最も引き出された状態にある硬貨処理部５及び紙幣処理部６は、硬貨処理部５の硬貨入金口２２及び操作表示部２３が紙幣処理部６よりも前方に位置する状態になる。これにより、硬貨処理部５及び紙幣処理部６が筐体本体部２１３から最も引き出された状態では、硬貨処理部５に設けられた操作表示部２３が視認及び操作可能となり、操作表示部２３で状態確認等をしながら紙幣処理部６の異常等に対処できる。
【００８５】
紙幣処理部６は、図１，図４に示すように閉状態にある上部カバー２１６の上部開口部２３２を介して貨幣処理装置１外に露出する上方開口の紙幣投入口２６及び紙幣出金口２７が前後に並設されており、紙幣投入口２６が前側に、紙幣出金口２７が後側に設けられている。紙幣投入口２６及び紙幣出金口２７は、貨幣処理装置１の装置幅方向である左右方向に長く、左右方向の位置を重ね合わせている。紙幣投入口２６には、入金処理時に貨幣処理装置１外からバラ紙幣が、長手方向を左右に短手方向を上下にし、複数枚の場合前後に重ねられて投入されることになり、紙幣処理部６は、この紙幣投入口２６に投入された紙幣を処理する。なお、誤って紙幣投入口２６に投入されたクリップや硬貨等の異物は、異物排除口２８へ排出される。異物排除口２８は、閉状態にある上部カバー２１６の下部開口部２３１から、図１，図２に示すように貨幣処理装置１外に露出している。紙幣出金口２７は、出金処理時に紙幣処理部６から出金紙幣が繰り出されると共に入金処理時に受け入れ不可と識別された受入不可紙幣が紙幣処理部６から繰り出され、このように紙幣処理部６から繰り出された紙幣を、長手方向を左右に短手方向を上下にし、複数枚の場合前後に重ねて、取り出し可能とする。紙幣投入口２６には、複数金種が混在する金種混合状態で紙幣が装置外から一括投入可能であり、このように入れられた紙幣を一枚ずつ分離して紙幣処理部６内に繰り出す。
【００８６】
図１９に示すように、紙幣処理部６には、前側から順に、紙幣投入口２６、紙幣出金口２７、紙幣を収納可能な着脱式の紙幣カセット１１８、紙幣を収納するとともに収納した紙幣を紙幣出金口２７に出金させる複数具体的には四つの着脱不可な紙幣収納庫１２０，１２１，１２２，１２３が設けられている。紙幣カセット１１８は、紙幣収納庫１２０〜１２３からの紙幣を収納可能となっている。
【００８７】
例えば、紙幣収納庫１２０〜１２２は、それぞれが単一金種収納用となっており、紙幣収納庫１２０には千円紙幣が収納され、紙幣収納庫１２１には五千円紙幣が収納され、紙幣収納庫１２２には万円紙幣が収納される。また、紙幣収納庫１２３は、金種混合収納用となっており、紙幣収納庫１２０〜１２２に収納しきれないオーバーフロー紙幣や流通量が少ない二千円紙幣が収納される。勿論、紙幣収納庫１２０〜１２３への収納パターンは、これに限らず、種々の設定が可能である。
【００８８】
紙幣投入口２６、紙幣出金口２７、紙幣カセット１１８及び紙幣収納庫１２０〜１２３は、いずれも左右方向に長い横長の形状をなしており、すべて、長辺が上端及び下端で左右方向に沿う姿勢（横長の姿勢）の紙幣を受け入れるようになっている。
【００８９】
上記した紙幣投入口２６、紙幣出金口２７、紙幣カセット１１８及び紙幣収納庫１２０〜１２３は、紙幣処理部６の内部の右側に寄せられて設けられており、これにより紙幣処理部６の内部の左側に設けられたスペースに、これら紙幣投入口２６、紙幣出金口２７、紙幣カセット１１８及び紙幣収納庫１２０〜１２３を接続させて紙幣のやり取りを行う紙幣搬送部１２７が配置されている。なお、この紙幣搬送部１２７も紙幣を常に長辺が上端及び下端となる姿勢で搬送する。
【００９０】
紙幣搬送部１２７は、紙幣投入口２６と紙幣収納庫１２３とを結ぶ主搬送路１２８と、主搬送路１２８の紙幣出金口２７の近傍から分岐して紙幣出金口２７に接続される分岐搬送路１２９と、主搬送路１２８の紙幣カセット１１８の近傍から分岐して紙幣カセット１１８に接続される分岐搬送路１３０と、主搬送路１２８の紙幣収納庫１２０の近傍から分岐して紙幣収納庫１２０に接続される分岐搬送路１３２と、主搬送路１２８の紙幣収納庫１２１の近傍から分岐して紙幣収納庫１２１に接続される分岐搬送路１３３と、主搬送路１２８の紙幣収納庫１２２の近傍から分岐して紙幣収納庫１２２に接続される分岐搬送路１３４とを有している。
【００９１】
紙幣搬送部１２７は、主搬送路１２８を介して紙幣収納庫１２０〜１２３側から搬送されてきた紙幣を、駆動状態で分岐搬送路１２９に案内して紙幣出金口２７に搬送させる一方、非駆動状態ではそのまま主搬送路１２８で搬送させる振分部１２９Ｇを有している。分岐搬送路１２９は、紙幣出金口２７に向けて回転して紙幣を紙幣出金口２７に送り込むローラ対１２９Ｒを有している。
【００９２】
また、紙幣搬送部１２７は、主搬送路１２８を介して紙幣収納庫１２０〜１２３側から搬送されてきた紙幣を、駆動状態で分岐搬送路１３０に案内して紙幣カセット１１８に搬送させる一方、非駆動状態ではそのまま主搬送路１２８で搬送させる振分部１３０Ｇを有している。分岐搬送路１３０は、紙幣カセット１１８に向けて回転して紙幣を紙幣カセット１１８に送り込むローラ対１３０Ｒを有している。
【００９３】
また、紙幣搬送部１２７は、主搬送路１２８を介して紙幣投入口２６側から搬送されてきた紙幣を、駆動状態で分岐搬送路１３２に案内して紙幣収納庫１２０に搬送させる一方、非駆動状態ではそのまま主搬送路１２８で搬送させる振分部１３２Ｇを有している。分岐搬送路１３２は、紙幣収納庫１２０に向けて回転して紙幣を紙幣収納庫１２０に送り込むローラ１３２Ｒａ，１３２Ｒｂを有している。紙幣収納庫１２０には、ローラ１３２Ｒａ，１３２Ｒｂに向けて紙幣を蹴り出す蹴出ローラ１２０Ｒが設けられている。一方のローラ１３２Ｒａは、紙幣収納庫１２０から紙幣を繰り出す際に回転し、他方のローラ１３２Ｒｂは、紙幣収納庫１２０から紙幣を繰り出す際には停止して紙幣を一枚ずつに分離する。
【００９４】
また、紙幣搬送部１２７は、主搬送路１２８を介して紙幣投入口２６側から搬送されてきた紙幣を、駆動状態で分岐搬送路１３３に案内して紙幣収納庫１２１に搬送させる一方、非駆動状態ではそのまま主搬送路１２８で搬送させる振分部１３３Ｇを有している。分岐搬送路１３３は、紙幣収納庫１２１に向けて回転して紙幣を紙幣収納庫１２１に送り込むローラ１３３Ｒａ，１３３Ｒｂを有している。紙幣収納庫１２１には、ローラ１３３Ｒａ，１３３Ｒｂに向けて紙幣を蹴り出す蹴出ローラ１２１Ｒが設けられている。一方のローラ１３３Ｒａは、紙幣収納庫１２１から紙幣を繰り出す際に回転し、他方のローラ１３３Ｒｂは、紙幣収納庫１２１から紙幣を繰り出す際には停止して紙幣を一枚ずつに分離する。
【００９５】
また、紙幣搬送部１２７は、主搬送路１２８を介して紙幣投入口２６側から搬送されてきた紙幣を、駆動状態で分岐搬送路１３４に案内して紙幣収納庫１２２に搬送させる一方、非駆動状態ではそのまま主搬送路１２８で搬送させる振分部１３４Ｇを有している。分岐搬送路１３４は、紙幣収納庫１２２に向けて回転して紙幣を紙幣収納庫１２２に送り込むローラ１３４Ｒａ，１３４Ｒｂを有している。紙幣収納庫１２２には、ローラ１３４Ｒａ，１３４Ｒｂに向けて紙幣を蹴り出す蹴出ローラ１２２Ｒが設けられている。一方のローラ１３４Ｒａは、紙幣収納庫１２２から紙幣を繰り出す際に回転し、他方のローラ１３４Ｒｂは、紙幣収納庫１２２から紙幣を繰り出す際には停止して紙幣を一枚ずつに分離する。
【００９６】
また、主搬送路１２８は、紙幣収納庫１２３に向けて回転して紙幣を紙幣収納庫１２３に送り込むローラ１３５Ｒａ，１３５Ｒｂを有している。紙幣収納庫１２３には、ローラ１３５Ｒａ，１３５Ｒｂに向けて紙幣を蹴り出す蹴出ローラ１２３Ｒが設けられている。一方のローラ１３５Ｒａは、紙幣収納庫１２３から紙幣を繰り出す際に回転し、他方のローラ１３５Ｒｂは、紙幣収納庫１２３から紙幣を繰り出す際には停止して紙幣を一枚ずつに分離する。
【００９７】
紙幣投入口２６は、主搬送路１２８に向けて紙幣を蹴り出す蹴出ローラ２６Ｒａと、蹴出ローラ２６Ｒａで蹴り出された紙幣を主搬送路１２８に繰り出す繰出ローラ２６Ｒｂと、繰出ローラ２６Ｒｂで繰り出される紙幣を、停止することにより一枚ずつに分離する分離ローラ２６Ｒｃとを有している。
【００９８】
主搬送路１２８には、分岐搬送路１２９，１３０間に、紙幣を識別する紙幣識別部１４０が設けられている。
【００９９】
図４に示すように、硬貨が投入される硬貨投入口２３４は、紙幣投入口２６及び紙幣出金口２７に対し装置幅方向である左右方向に隣接して設けられており、具体的には右側に設けられている。硬貨投入口２３４は、紙幣投入口２６及び紙幣出金口２７のうち前側にあって紙幣が投入される紙幣投入口２６と前後方向の位置を重ね合わせている。硬貨投入口２３４の左右両側には、硬貨投入口２３４に近づくほど下側に位置するように傾斜して硬貨を硬貨投入口２３４に案内するスロープ部２９１が設けられている。硬貨投入口２３４は前後方向に長く、複数枚（２〜４枚）の硬貨を厚さ方向を左右にして同時に通過させることが可能な大きさとなっている。これにより、硬貨を１枚ずつ投入する煩わしさを解消している。
【０１００】
図７に示すように、紙幣処理部６は左右方向の幅が硬貨処理部５よりも狭くなっており、硬貨処理部５と左端位置を合わせるように筐体本体部２１３に配置されている。このように配置することにより、紙幣処理部６の右側且つ硬貨処理部５の鉛直上方にスペースが生じる。このスペースに、貨幣処理装置１が通常使用状態にあるときに硬貨投入口２３４に投入された硬貨を鉛直下方すなわち真下に誘導する筒状の誘導シュート２６５が配置されている。
【０１０１】
誘導シュート２６５は上部カバー２１６に固定されており、上部カバー２１６が閉じられた状態で、硬貨投入口２３４に投入された硬貨を水平方向の移動範囲を所定の範囲に規制しつつ下方に案内する。誘導シュート２６５で誘導された硬貨は、筐体本体部２１３の紙幣処理部６と硬貨処理部５との間の棚部３０１の棚部開口部３０２を介して、棚部３０１の下側に配置された硬貨処理部５の硬貨入金口２２内に落下する。このように硬貨投入口２３４に投入され誘導シュート２６５で誘導された硬貨を硬貨処理部５が処理する。ここで、硬貨投入口２３４及び誘導シュート２６５を上部カバー２１６に一体的に設けるのではなく、誘導シュート２６５の上部に硬貨投入口２３４を固定して誘導シュート２６５を棚部３０１に固定しても良い。この場合、上部カバー２１６には、その上面の上部開口部２３２よりも右側に、閉状態でも硬貨投入口２３４を貨幣処理装置１外に露出させる開口部が設けられることになる。
【０１０２】
図２０に示すように、硬貨入金口２２には、誘導シュート２６５で誘導された硬貨を通過させる落下開口部３１１を有して硬貨入金口２２を一部覆う入金口カバー３１２が土手部２６１にセットされている。入金口カバー３１２は土手部２６１にセットされると水平方向の移動が規制された状態になる。入金口カバー３１２の落下開口部３１１は、硬貨入金口２２の開口面積よりも狭く、通過した硬貨の硬貨入金口２２内での跳ね返りによる硬貨入金口２２からの零れを規制する。入金口カバー３１２の落下開口部３１１の右端には、下側ほど左側に位置するように斜め左下方向に延出するガイド板部３１３が設けられており、誘導シュート２６５で誘導されて落下する硬貨を、このガイド板部３１３で左方向に案内する。このガイド板部３１３で案内される硬貨の落下軌跡の位置に、硬貨を検知する図示略のオートスタートセンサが設けられている。硬貨処理部５は、このオートスタートセンサで硬貨を検知すると、自動的に硬貨処理を開始するオートスタートを行う。すなわち、入金口カバー３１２は、投入された硬貨を衝突させて硬貨の軌道を変えることで、硬貨がオートスタートセンサを確実に通過するように案内する。
【０１０３】
なお、入金口カバー３１２のガイド板部３１３は、硬貨が衝突すると振動を生じるため、このガイド板部３１３の振動を振動検出センサで検出してオートスタートを行うようにしても良い。この場合、振動検出センサで検出し易いようにガイド板部３１３を含む入金口カバー３１２の全体を、より振動しやすい金属製とするのが良い。このように構成すれば、オートスタートを早めることができる。あるいは、硬貨投入口２３４に投入された硬貨は、誘導シュート２６５によって水平方向の移動範囲を所定の範囲に規制されつつ案内されるため、この誘導シュート２６５の誘導経路途中に誘導される硬貨を検出する通過検出センサを設けることでオートスタートを行うようにしても良い。
【０１０４】
図３に示すように、筐体本体部２１３の右側面には、複数のネジ穴を有する支持部３２１が前後に設けられており、これら支持部３２１に、図１，図２に示す荷置用の棚板３２２がヒンジ３２３において着脱可能に連結されている。筐体本体部２１３の左側面にも、同様の支持部３２１が設けられており、棚板３２２は、右側の支持部３２１から取り外されて左側の支持部３２１に取り付け可能となっている。支持部３２１は、棚板３２２を例えば３段階に高さ調整可能に支持する。支持部３２１に支持された棚板３２２は、使用時には、水平に広がる状態とされて、荷物の載置が可能となり、非使用時には、ヒンジ３２３の回動中心を中心に前後軸回りに回動して下方に折り畳まれる。これにより、貨幣処理装置１のレイアウトの自由度を高めることができる。
【０１０５】
次に、本実施形態の貨幣処理装置１を含む精算システム２０４の各種処理について説明する。貨幣処理装置１は、通常運用時は、上部カバー２１６及び前面カバー２１５を閉じた状態とされる。
【０１０６】
「入金処理」
精算処理端末１１において、商品登録装置２０２が発行する支払シートに記載された取引番号が操作表示部１３に入力されると、精算制御部１８は、この取引番号に関連付けられた代金情報をストアコントローラ２０３から読み出して操作表示部１３に表示させる。その後、操作表示部１３に入金操作が入力されると、精算制御部１８は、硬貨投入口２３４に投入されて誘導シュート２６５内を落下した硬貨が、硬貨処理部５の硬貨入金口２２に設けられた図示略のオートスタートセンサで検知されると、硬貨処理部５による硬貨入金処理を開始させることになる。また、紙幣投入口２６へ紙幣が投入されたことを図示略の投入口紙幣検知センサで検知すると、紙幣処理部６による紙幣入金処理を開始させることになる。なお、取引番号の入力は、支払シートを精算装置２０１の読み取り機（図示略）で読み取らせるようにしてもよいし、または、購入商品の情報を含む代金情報を取引番号と共にスマートフォン等の端末に送信し、あるいは、店舗専用のカードに転記しておき、精算装置２０１で端末またはカードから読み取り可能にしてもよい。その他、商品登録装置２０２が購入商品の情報を含む代金情報を取引番号と共に精算装置２０１へ転送し、従業員が顧客を指定の精算装置２０１へ誘導、あるいは、警告灯や呼出表示機等で案内するようにしてもよい。
【０１０７】
硬貨入金処理では、硬貨処理部５が、硬貨入金口２２の硬貨を第１入金搬送路３１のベルトコンベア６１及び分離ローラ６２で一枚ずつ分離して第２入金搬送路３２に繰り出し、第２入金搬送路３２の通路７１及び搬送ベルト７２で搬送しつつ閉状態のリジェクト振分ゲート３６を越えて硬貨識別部３３まで搬送し、硬貨識別部３３で識別させる。硬貨識別部３３では受け入れの可不可及び受入可能硬貨については金種を識別して計数し、この識別結果に基づき、受入不可硬貨を、搬送ベルト７２の逆転搬送とリジェクト振分ゲート３６の開作動とでリジェクトシュータ３７を介して硬貨リジェクト口２４に放出する入金リジェクト処理を行う。これにより、受入不可硬貨が硬貨リジェクト口２４に収容され、操作者は、この受入不可硬貨を硬貨リジェクト口２４から取り出すことができる。
【０１０８】
他方、硬貨識別部３３の識別結果に基づき、受入可能硬貨を、そのまま第２入金搬送路３２の下流側に移動させる。その結果、受入可能硬貨を、金種振分ゲート４２ａ〜４２ｆの対応するもので選別してスタッカ４１ａ〜４１ｆの対応する金種のものに収納する。つまり、１円硬貨は金種振分ゲート４２ａで落下させてスタッカ４１ａに収納し、１０円硬貨は金種振分ゲート４２ｂで落下させてスタッカ４１ｂに収納し、１００円硬貨は金種振分ゲート４２ｃで落下させてスタッカ４１ｃに収納し、５円硬貨は金種振分ゲート４２ｄで落下させてスタッカ４１ｄに収納し、５０円硬貨は金種振分ゲート４２ｅで落下させてスタッカ４１ｅに収納し、５００円硬貨は金種振分ゲート４２ｆで落下させてスタッカ４１ｆに収納する。
【０１０９】
ここで、精算制御部１８は、上述したように金種別の各スタッカ４１ａ〜４１ｆに収納されている硬貨の収納量を把握しており、入金処理で新たに入金された硬貨によってスタッカ４１ａ〜４１ｆのいずれかの収納量が、所定の適正上限量を超える場合、スタッカ４１ａ〜４１ｆの適正上限量を超えるものから、繰出機構７９によって適正上限量を超える分の硬貨を計数しつつ中間搬送路４６に繰り出させて、入金処理後の収納量が適正上限量を超えないようにして、全てのスタッカ４１ａ〜４１ｆの収納量を適正上限量以下に保つ。これにより、全てのスタッカ４１ａ〜４１ｆの収納量を、多くても、収納量が適正上限量となるニアフル状態に保つようにする。
【０１１０】
このようにスタッカ４１ａ〜４１ｆから中間搬送路４６に硬貨を繰り出させる場合、精算制御部１８は、出金口振分ゲート４７を閉状態のまま、予備振分ゲート５２を開状態として、ベルトコンベア８１の中間搬送路構成部８２及び搬送ベルト８８で硬貨を予備振分ゲート５２に向けて搬送する。すると、硬貨は、中間搬送路４６の分離ローラ８５で一枚ずつに分離された後、出金口振分ゲート４７を越えて予備振分ゲート５２の位置で中間搬送路４６から落下して予備収納庫シュータ５３を介して予備収納庫５１に収納される。このとき、精算制御部１８は、繰出機構７９の計数値から予備収納庫５１に収納された硬貨の金種別の入金量を把握している。
【０１１１】
ここで、上述したように、精算制御部１８は、振分搬送部５６で予備収納庫５１から繰出口５７に繰り出された硬貨の金種別の繰出量を把握しており、この金種別の繰出量と、上記の予備収納庫５１への硬貨の金種別の入金量とから予備収納庫５１に収納されている硬貨の金種別の収納量を把握している。入金処理で予備収納庫５１に入金された硬貨によって予備収納庫５１の収納量が所定の適正上限量を超える場合、予備収納庫５１からベルトコンベア９６によって、硬貨を振分搬送部５６に繰り出させて、振分搬送部５６のベルトコンベア９８及び搬送ベルト１０１によって、繰出口５７に向けて搬送する。そして、繰出識別部１０２の計数結果に基づいて適正上限量を超える分の硬貨を繰出口５７に落下させる。このようにして入金処理後の予備収納庫５１の収納量が適正上限量を超えないようにして適正上限量以下に保つ。振分搬送部５６から繰り出された硬貨は、繰出口５７を介して硬貨処理部５から回収硬貨収納トレー１１１に収納される。精算制御部１８は、振分搬送部５６の繰出識別部１０２の識別結果から、硬貨処理部５から回収硬貨収納トレー１１１へ繰り出した硬貨の金種別の繰出量を把握している。
【０１１２】
紙幣入金処理では、紙幣処理部６が、紙幣投入口２６の紙幣を一枚ずつ分離して主搬送路１２８に送り出し、主搬送路１２８で紙幣収納庫１２０〜１２３に向けて搬送し、紙幣識別部１４０で識別させる。紙幣識別部１４０では、受け入れの可不可及び受入可能紙幣についての金種が識別され、この識別結果に基づき、受入可能紙幣を、紙幣収納庫１２０〜１２３用の振分部１３２Ｇ〜１３４Ｇのうち該当する金種用のものを駆動して、金種の紙幣収納庫１２０〜１２３のうちの該当する金種のものに収納する。つまり、千円紙幣は、振分部１３２Ｇで分岐搬送路１３２に送り込み、ローラ１３２Ｒａ，１３２Ｒｂで紙幣収納庫１２０に収納する。また、五千円紙幣は、振分部１３３Ｇで分岐搬送路１３３に送り込み、ローラ１３３Ｒａ，１３３Ｒｂの駆動で紙幣収納庫１２１に収納する。更に、万円紙幣は、振分部１３４Ｇで分岐搬送路１３４に送り込み、ローラ１３４Ｒａ，１３４Ｒｂの駆動で紙幣収納庫１２２に収納する。更に、二千円紙幣及び紙幣収納庫１２０〜１２２に収納しきれないオーバーフロー紙幣は、ローラ１３５Ｒａ，１３５Ｒｂの駆動で紙幣収納庫１２３に収納する。
【０１１３】
他方、紙幣識別部１４０で入金不可と識別された紙幣は、主搬送路１２８の逆転駆動によって上記とは逆方向に搬送し、振分部１２９Ｇで分岐搬送路１２９に送り込んでローラ対１２９Ｒの駆動で紙幣出金口２７に搬送する。これにより、受入不可紙幣が紙幣出金口２７に収容され、操作者は、この受入不可紙幣を紙幣出金口２７から取り出すことができる。
【０１１４】
硬貨入金口２２の硬貨が、すべて、硬貨リジェクト口２４及びスタッカ４１ａ〜４１ｆのいずれかに搬送され、紙幣投入口２６の紙幣がすべて、紙幣収納庫１２０〜１２３及び紙幣出金口２７のいずれかに搬送されると、精算処理端末１１の精算制御部１８は、今回の入金処理において受け入れた硬貨及び紙幣の計数結果と、入金取消をするか、入金確定をするかの選択操作を促す表示とを操作表示部１３に表示させる。
【０１１５】
上記した入金取消をするか、入金確定をするかの問いに対して、操作者が、承認操作入力である入金確定の選択操作を精算処理端末１１の操作表示部１３に入力すると、精算制御部１８は、今回の入金処理で受け入れた硬貨及び紙幣の計数値を確定して記憶すると共に、その合計金額から商品代金を減算して釣銭金額を算出し、入金処理を終了する。釣銭がある場合には、引き続き、後述の出金処理を行う。
【０１１６】
「入金返却処理」
他方、入金処理における上記した入金取消をするか、入金確定をするかの問いに対して、操作者が、取り消し操作入力である入金取消の選択操作を精算処理端末１１の操作表示部１３に入力すると、精算制御部１８は、貨幣処理装置１の硬貨処理部５について、出金口振分ゲート４７を開状態にして、スタッカ４１ａ〜４１ｆのベルトコンベア７７を駆動し、入金された金額のうち硬貨部分を構成する返却硬貨を、スタッカ４１ａ〜４１ｆの対応するものから繰出機構７９で計数しつつ、中間搬送路４６のベルトコンベア８１の中間搬送路構成部８２上に繰り出させる。すると、ベルトコンベア８１の中間搬送路構成部８２が硬貨を出金口振分ゲート４７に向けて搬送する。その途中、硬貨は、中間搬送路４６の分離ローラ８５で一枚ずつに分離された後、出金口振分ゲート４７から、出金搬送路４８のベルトコンベア８１の出金搬送路構成部８３上に落下する。すると、出金搬送路４８の出金搬送路構成部８３上で分離ローラ９１によって再び一枚ずつに分離され、搬送ベルト９３の駆動で通路９２上を移動して硬貨出金口２５に放出される。
【０１１７】
また、精算制御部１８は、貨幣処理装置１の紙幣処理部６について、紙幣収納庫１２０〜１２２の対応するものから、入金された金額のうち紙幣部分を構成する返却紙幣を、分岐搬送路１３２〜１３４の対応するもの及び主搬送路１２８を介して紙幣出金口２７に搬送することになる。つまり、紙幣収納庫１２０から紙幣を繰り出す場合、紙幣を、蹴出ローラ１２０Ｒがローラ１３２Ｒａ，１３２Ｒｂに向けて蹴り出し、ローラ１３２Ｒｂで一枚に分離しながらローラ１３２Ｒａが分岐搬送路１３２に繰り出す。紙幣収納庫１２１から紙幣を繰り出す場合、紙幣を、蹴出ローラ１２１Ｒがローラ１３３Ｒａ，１３３Ｒｂに向けて蹴り出し、ローラ１３３Ｒｂで一枚に分離しながらローラ１３３Ｒａが分岐搬送路１３３に繰り出す。紙幣収納庫１２２から紙幣を繰り出す場合、蹴出ローラ１２２Ｒが紙幣をローラ１３４Ｒａ，１３４Ｒｂに向けて蹴り出し、ローラ１３４Ｒｂで一枚に分離しながらローラ１３４Ｒａが分岐搬送路１３４に繰り出す。このようにして紙幣収納庫１２０〜１２２の対応するものから繰り出された紙幣を主搬送路１２８で搬送し、振分部１２９Ｇで分岐搬送路１２９に導入して紙幣出金口２７に送り込む。
【０１１８】
入金された金額の硬貨部分を構成する返却硬貨が硬貨出金口２５に放出され、入金された金額の紙幣部分を構成する返却紙幣が紙幣出金口２７に放出されると、入金返却処理を終了することになり、操作者は、返却硬貨を硬貨出金口２５から、返却紙幣を紙幣出金口２７から取り出すことになる。
【０１１９】
「出金処理」
精算処理端末１１の精算制御部１８は、上記したように入金処理で受け入れた硬貨及び紙幣の合計金額から商品代金を減算して釣銭金額を算出し、釣銭がある場合には、釣銭金額を出金させるように貨幣処理装置１を制御する。
【０１２０】
精算制御部１８の制御により、貨幣処理装置１は、硬貨処理部５について、出金口振分ゲート４７を開状態にして、釣銭金額のうち硬貨部分を構成する出金硬貨を、スタッカ４１ａ〜４１ｆのベルトコンベア７７を駆動し、スタッカ４１ａ〜４１ｆの対応するものから繰出機構７９で計数しつつ、中間搬送路４６のベルトコンベア８１の中間搬送路構成部８２上に繰り出させる。すると、中間搬送路構成部８２が硬貨を出金口振分ゲート４７に向けて搬送する。その途中、硬貨は、中間搬送路４６の分離ローラ８５で一枚ずつに分離された後、出金口振分ゲート４７から、出金搬送路４８のベルトコンベア８１の出金搬送路構成部８３上に落下する。すると、出金搬送路４８の出金搬送路構成部８３上で分離ローラ９１によって再び一枚ずつに分離され、搬送ベルト９３の駆動で通路９２上を移動して硬貨出金口２５に放出される。
【０１２１】
また、貨幣処理装置１は、紙幣処理部６について、紙幣収納庫１２０，１２１の対応するものから、釣銭金額のうち紙幣部分を構成する出金紙幣を、入金返却処理と同様にして、分岐搬送路１３２，１３３の対応するもの及び主搬送路１２８を介して紙幣出金口２７に向けて搬送することになる。そして、主搬送路１２８で搬送される紙幣を、振分部１２９Ｇで分岐搬送路１２９に導入して紙幣出金口２７に送り込む。
【０１２２】
釣銭金額の硬貨部分を構成する出金硬貨が硬貨出金口２５に放出され、釣銭金額の紙幣部分を構成する出金紙幣が紙幣出金口２７に放出されると、出金処理を終了することになり、操作者は、出金硬貨を硬貨出金口２５から、出金紙幣を紙幣出金口２７から、それぞれ取り出すことになる。
【０１２３】
「内部硬貨補充処理」
出金処理後に、精算制御部１８は、金種別のスタッカ４１ａ〜４１ｆのいずれかの硬貨の収納量が、所定の適正下限量を下回る場合、つまり収納量が適正下限量であるニアエンド状態よりも少ない場合に、内部硬貨補充処理を行う。ここで、出金処理後にスタッカ４１ａ〜４１ｆのいずれかの収納量が適正下限量を下回る場合に自動的に内部硬貨補充処理を行うようにしても良く、精算処理端末１１の操作表示部１３に収納量がニアエンド状態よりも少ない状態にあることを表示し、操作表示部１３に内部硬貨補充処理の操作が入力された場合に限り内部硬貨補充処理を行うようにしても良い。ここで、精算制御部１８は、金種別のスタッカ４１ａ〜４１ｆの収納量にかかわらず、精算処理端末１１の操作表示部１３に操作が入力されると内部硬貨補充処理を実行する。
【０１２４】
内部硬貨補充処理では、精算制御部１８が、予備収納庫５１からベルトコンベア９６によって、硬貨を振分搬送部５６に繰り出させて、振分搬送部５６のベルトコンベア９８によって、中間搬送路４６に向けて搬送する。そして、出金口振分ゲート４７及び予備振分ゲート５２を閉状態のまま、ベルトコンベア８１の中間搬送路構成部８２及び搬送ベルト８８で硬貨を硬貨入金口２２に向けて搬送する。すると、硬貨は、出金口振分ゲート４７及び予備振分ゲート５２を越えて、中間搬送路４６の末端位置である通路８７の末端位置から落下して硬貨入金口２２内に落下する。
【０１２５】
更に、硬貨入金口２２の硬貨を第１入金搬送路３１のベルトコンベア６１及び分離ローラ６２で一枚ずつ分離して第２入金搬送路３２に繰り出し、第２入金搬送路３２で搬送しつつ硬貨識別部３３で金種を識別させる共に計数させる。この識別結果に基づき、硬貨を金種振分ゲート４２ａ〜４２ｆの対応するもので選別してスタッカ４１ａ〜４１ｆの対応する金種のものに収納する。そして、精算制御部１８は、全てのスタッカ４１ａ〜４１ｆの収納量が、適正下限量と適正上限量との間の所定の適正中間量以上になるか、適正下限量以上となってから所定時間が経過すると、予備収納庫５１からの硬貨の繰り出しを停止させる。
【０１２６】
ここで、このように予備収納庫５１からスタッカ４１ａ〜４１ｆに硬貨を補充する内部硬貨補充処理時に、スタッカ４１ａ〜４１ｆの補充が不要なものには、補充される硬貨によって収納量が、適正上限量を超える場合がある。このような場合、精算制御部１８は、スタッカ４１ａ〜４１ｆの適正上限量を超えるものから、繰出機構７９によって適正上限量を超える分の硬貨を計数しつつ中間搬送路４６に繰り出させて、入金処理後の収納量が適正上限量を超えないようにして全てのスタッカ４１ａ〜４１ｆの収納量を適正上限量以下に保つ。スタッカ４１ａ〜４１ｆの適正上限量を超えるものから繰り出された硬貨は、中間搬送路４６で予備収納庫５１から繰り出された硬貨と同様に搬送される。
【０１２７】
全てのスタッカ４１ａ〜４１ｆの収納量が適正下限量と適正上限量との間の所定の適正中間量以上になるか、適正下限量以上となってから所定時間が経過するか、適正下限量以上とならずに所定時間が経過すると、精算制御部１８は、予備収納庫５１からの硬貨の繰り出しを停止させると共に、予備振分ゲート５２を開き、振分搬送部５６、中間搬送路４６、第１入金搬送路３１、第２入金搬送路３２上に硬貨がなくなると、内部硬貨補充処理を終了する。この内部硬貨補充処理では、硬貨を予備収納庫５１から中間搬送路４６を含む出金搬送部５８に繰り出し出金搬送部５８で硬貨入金口２２に搬送し、更に硬貨入金口２２から、第１入金搬送路３１及び第２入金搬送路３２を含む入金搬送部４３に繰り出し入金搬送部４３で搬送して硬貨識別部３３で識別した後、スタッカ４１ａ〜４１ｆに搬送する。
【０１２８】
「硬貨精査処理」
硬貨精査処理時には、精算処理端末１１に、操作表示部１３を介して硬貨精査処理の操作入力が入力され、その際に、精査対象の金種が指定される。勿論、全金種の指定も可能である。硬貨精査処理の操作入力が入力されると、精算制御部１８は、その開始にあたって、予備収納庫５１が空の状態にあるか否かを判定する。
【０１２９】
予備収納庫５１が空の状態にあると、スタッカ４１ａ〜４１ｆのうち指定された今回精査対象の一つについての単一精査処理を行う。つまり、先ず、スタッカ４１ａ〜４１ｆのうち指定された今回精査対象の一つから、これが空になるまで、予備収納庫５１に硬貨を移動させる。すなわち、予備振分ゲート５２を開き、スタッカ４１ａ〜４１ｆのベルトコンベア７７を駆動し、スタッカ４１ａ〜４１ｆのうちの今回精査対象の一つから、繰出機構７９によって中間搬送路４６のベルトコンベア８１の中間搬送路構成部８２上に硬貨を繰り出させる。そして、ベルトコンベア８１で硬貨を予備振分ゲート５２に向けて搬送し、硬貨を、予備振分ゲート５２の位置で落下させ、予備収納庫シュータ５３を介して予備収納庫５１に収納させる。このようにして、今回精査対象の一つのスタッカから全ての硬貨を予備収納庫５１に移動させる。
【０１３０】
次に、精算制御部１８は、予備振分ゲート５２を閉じ、上記した内部硬貨補充処理と同様に、予備収納庫５１からベルトコンベア９６によって、硬貨を振分搬送部５６に繰り出させ、振分搬送部５６のベルトコンベア９８によって、中間搬送路４６に繰り出させる。そして、硬貨を、中間搬送路４６のベルトコンベア８１の中間搬送路構成部８２及び搬送ベルト８８で硬貨入金口２２に搬送し、硬貨入金口２２から、第１入金搬送路３１及び第２入金搬送路３２で搬送する。第２入金搬送路３２での搬送中に硬貨識別部３３で硬貨の金種を識別させ計数させる。この識別結果に基づき、硬貨を金種振分ゲート４２ａ〜４２ｆの対応するもので選別してスタッカ４１ａ〜４１ｆの対応する金種のものに収納する。硬貨は、基本的には今回精査対象の一つのスタッカに戻される。
【０１３１】
そして、精算制御部１８は、予備収納庫５１に収納されていた硬貨が全てスタッカ４１ａ〜４１ｆに収納されると、スタッカ４１ａ〜４１ｆのうち今回精査対象の一金種の硬貨についての硬貨識別部３３の計数結果を、スタッカ４１ａ〜４１ｆのうち今回精査対象の一金種のスタッカの収納量として、単一精査処理を終了する。
【０１３２】
スタッカ４１ａ〜４１ｆについて、指定された精査対象が複数ある場合（全指定を含む）、上記と同様の単一精査処理を順次行って、精査処理を終了する。つまり、精査処理は、硬貨を、スタッカ４１ａ〜４１ｆの対象の一つから、中間搬送路４６を含む出金搬送部５８に繰り出し、この出金搬送部５８で予備収納庫５１に搬送することにより、スタッカ４１ａ〜４１ｆの対象の一つから全ての硬貨を予備収納庫５１に移送した後、硬貨を予備収納庫５１から出金搬送部５８に繰り出し出金搬送部５８で硬貨入金口２２に搬送し、更に硬貨入金口２２から、第１入金搬送路３１及び第２入金搬送路３２を含む入金搬送部４３に繰り出し入金搬送部４３で搬送して硬貨識別部３３で識別した後、スタッカ４１ａ〜４１ｆの対象の一つに搬送する。
【０１３３】
他方、硬貨精査処理開始にあたって、予備収納庫５１が空の状態にない場合、精算制御部１８は、予備収納庫５１に収納されている硬貨の金種別の収納量と、各スタッカ４１ａ〜４１ｆの収納量とから、予備収納庫５１に収納されている全ての硬貨をスタッカ４１ａ〜４１ｆに上限収納量を超えずに収納可能であるか否かを判定する。
【０１３４】
上限収納量を超えずに収納可能である場合、予備収納庫５１に収納されている全ての硬貨をスタッカ４１ａ〜４１ｆに収納して予備収納庫５１を空にする全補充空化処理を行う。つまり、上記した内部硬貨補充処理と同様に、硬貨を、予備収納庫５１からベルトコンベア９６によって振分搬送部５６に繰り出させ、振分搬送部５６のベルトコンベア９８によって中間搬送路４６に繰り出させる。そして、硬貨を中間搬送路４６のベルトコンベア８１の中間搬送路構成部８２及び搬送ベルト８８で硬貨入金口２２に搬送し、更に、第１入金搬送路３１、第２入金搬送路３２で搬送しつつ硬貨識別部３３で金種を識別させる共に計数させる。この識別結果に基づき、硬貨を金種振分ゲート４２ａ〜４２ｆの対応するもので選別してスタッカ４１ａ〜４１ｆの対応する金種のものに収納する。
【０１３５】
予備収納庫５１から全ての硬貨が繰り出され、振分搬送部５６、中間搬送路４６、第１入金搬送路３１及び第２入金搬送路３２に硬貨がなくなると、全補充空化処理を終了し、上記と同様の単一精査処理を、スタッカ４１ａ〜４１ｆのうち指定された精査対象のスタッカについて行って、精査処理を終了する。
【０１３６】
予備収納庫５１を空にする際に、予備収納庫５１に収納されている全ての硬貨をスタッカ４１ａ〜４１ｆに上限収納量を超えずに収納可能でない場合、精算制御部１８は、予備収納庫５１に収納されている硬貨の一部をスタッカ４１ａ〜４１ｆに収納する一部補充空化処理、及び、予備収納庫５１に収納されている全ての硬貨を回収硬貨収納トレー１１１に収納させる全回収予備収納庫空化処理のいずれか選択された一方の処理を行う。この選択は、精算処理端末１１の操作表示部１３への入力で行われるが、いずれか一方をデフォルトとして設定しておいても良い。
【０１３７】
一部補充空化処理では、精算制御部１８が、上記した内部硬貨補充処理と同様に、硬貨を、予備収納庫５１からベルトコンベア９６によって振分搬送部５６に繰り出させ、振分搬送部５６のベルトコンベア９８によって中間搬送路４６に繰り出させる。そして、硬貨を中間搬送路４６のベルトコンベア８１の中間搬送路構成部８２及び搬送ベルト８８で硬貨入金口２２に搬送し、更に、第１入金搬送路３１、第２入金搬送路３２で搬送しつつ硬貨識別部３３で金種を識別させる共に計数させる。この識別結果に基づき、硬貨を金種振分ゲート４２ａ〜４２ｆの対応するもので選別してスタッカ４１ａ〜４１ｆの対応する金種のものに収納する。そして、スタッカ４１ａ〜４１ｆのいずれかにおいて、補充される硬貨によって収納量が適正上限量を超える場合、精算制御部１８は、スタッカ４１ａ〜４１ｆの適正上限量を超えるものから、繰出機構７９によって適正上限量を超える分の硬貨を計数しつつ中間搬送路４６に繰り出させて、入金処理後の収納量が適正上限量を超えないようにして全てのスタッカ４１ａ〜４１ｆの収納量を適正上限量以下に保つ。スタッカ４１ａ〜４１ｆの適正上限量を超えるものから繰り出された硬貨は、中間搬送路４６で予備収納庫５１から繰り出された硬貨と同様に搬送される。
【０１３８】
一部補充空化処理開始後、所定時間が経過すると、精算制御部１８は、予備振分ゲート５２を開くと共に、振分搬送部５６の搬送方向を繰出口５７に向けた方向とし、硬貨を、振分搬送部５６のベルトコンベア９８及び搬送ベルト１０１で繰出口５７に落下させて、回収硬貨収納トレー１１１に収納させる。そして、予備収納庫５１、振分搬送部５６、中間搬送路４６、第１入金搬送路３１、第２入金搬送路３２上に硬貨がなくなると、精算制御部１８は、一部補充空化処理を終了し、上記と同様の単一精査処理を、スタッカ４１ａ〜４１ｆのうち指定された精査対象のスタッカについて順次行って、精査処理を終了する。
【０１３９】
全回収空化処理では、精算制御部１８が、硬貨を、予備収納庫５１からベルトコンベア９６によって振分搬送部５６に繰り出させ、振分搬送部５６のベルトコンベア９８及び搬送ベルト１０１で繰出口５７に落下させて、回収硬貨収納トレー１１１に収納させる。予備収納庫５１及び振分搬送部５６上に硬貨がなくなると、精算制御部１８は、全回収空化処理を終了し、上記と同様の単一精査処理を、スタッカ４１ａ〜４１ｆのうち指定された精査対象のスタッカについて順次行って、精査処理を終了する。
【０１４０】
「投入硬貨補充処理」
精算処理端末１１の操作表示部１３に投入硬貨補充処理の選択操作が入力されて、前面カバー２１５のキー操作による開作動を図示略の前面カバー開閉検知センサで検知すると、精算制御部１８は、硬貨処理部ロック機構２７１によるロックを解除して、補充用貨幣収納部１５７のドロアロック機構１６１によるロックを解除すると共に表示ランプ１５９を点滅させる。すると、補充用貨幣収納部１５７の収納筐体部１５５から収納ドロア１５６の引き出しが可能になり、操作者は、収納ドロア１５６を引き出して、棒金収納部１７５を露出させて、補充に必要な金種の棒金を取り出す。また、操作者は、硬貨処理部５を筐体本体部２１３から引き出して硬貨入金口２２を覆う入金口カバー３１２を取り外して硬貨入金口２２の全体を露出させ、棒金の包装を解いてバラ硬貨としバラ硬貨を硬貨入金口２２に投入する。その際に、土手部２６１が、硬貨の硬貨入金口２２外への零れを規制する。
【０１４１】
バラ硬貨を硬貨入金口２２に投入した後、操作表示部１３に投入硬貨補充処理の実行操作が入力されると、精算制御部１８は、硬貨入金口２２に投入された硬貨を上記した入金処理と同様にしてスタッカ４１ａ〜４１ｆに補充する投入硬貨補充処理を行う。つまり、硬貨入金口２２から繰り出された硬貨を、第１入金搬送路３１、第２入金搬送路３２で搬送しつつ硬貨識別部３３で識別させる。硬貨識別部３３の識別結果に基づき、受入不可硬貨を硬貨リジェクト口２４に放出する一方、受入可能硬貨を、金種振分ゲート４２ａ〜４２ｆの対応するもので選別してスタッカ４１ａ〜４１ｆの対応する金種のものに収納する。このときも、精算制御部１８は、投入硬貨補充処理で補充される硬貨によってスタッカ４１ａ〜４１ｆのいずれかの収納量が、所定の適正上限量を超える場合、適正上限量を超える分の硬貨を中間搬送路４６によって予備収納庫５１に収納して、全てのスタッカ４１ａ〜４１ｆの収納量を適正上限量以下に保つ。また、予備収納庫５１の収納量が、適正上限量を超える場合、予備収納庫５１の硬貨を振分搬送部５６によって回収硬貨収納トレー１１１に収納させて、予備収納庫５１の収納量を適正上限量に保つ。これにより、スタッカ４１ａ〜４１ｆの収納量から硬貨の補充量を厳密に検討しなくても済む。
【０１４２】
「出金口回収処理」
精算処理端末１１の操作表示部１３に出金口回収処理の選択操作が入力されると、精算制御部１８は、スタッカ４１ａ〜４１ｆ及び予備収納庫５１に収納されている硬貨を硬貨出金口２５に全て放出させる出金口回収処理を行う。スタッカ４１ａ〜４１ｆの硬貨については、出金処理と同様、出金口振分ゲート４７を開状態にして、スタッカ４１ａ〜４１ｆから繰り出して中間搬送路４６で搬送し、出金口振分ゲート４７から落下させて、出金搬送路４８の出金搬送路構成部８３及び搬送ベルト９３で硬貨出金口２５に放出させることになり、予備収納庫５１の硬貨については、予備収納庫５１から振分搬送部５６で中間搬送路４６に繰り出し、スタッカ４１ａ〜４１ｆからの硬貨と同様に硬貨出金口２５に放出させることになる。操作者は、硬貨出金口２５に放出された硬貨を回収する。
【０１４３】
「収納トレー回収処理」
精算処理端末１１の操作表示部１３に収納トレー回収処理の実行が入力されると、精算制御部１８は、スタッカ４１ａ〜４１ｆ及び予備収納庫５１に収納されている硬貨を回収硬貨収納トレー１１１に収納する。つまり、精算制御部１８は、予備振分ゲート５２を開くと共に、予備収納庫５１及び振分搬送部５６の搬送方向を繰出口５７に向けた方向として、スタッカ４１ａ〜４１ｆの硬貨を中間搬送路４６から予備振分ゲート５２で予備収納庫５１に搬送する。これにより、スタッカ４１ａ〜４１ｆ及び予備収納庫５１の硬貨を回収硬貨収納トレー１１１に回収する。硬貨処理部５の硬貨が全て回収硬貨収納トレー１１１に搬送されると、精算制御部１８は、収納トレー回収処理を終了する。操作者が前面カバー２１５を開くと、精算制御部１８は、トレーロック機構１１２のロックを解除することになり、操作者は、回収硬貨収納トレー１１１を硬貨処理部５のトレー装填部１１０から引き出し取り外して硬貨を回収する。
【０１４４】
「紙幣補充処理」
精算処理端末１１の操作表示部１３に紙幣補充処理の実行が入力されて、前面カバー２１５が開かれたことを図示略の前面カバー開閉検知センサで検知すると、精算制御部１８は、補充用貨幣収納部１５７のドロアロック機構１６１によるロックを解除すると共に表示ランプ１５９を点滅させる。すると、補充用貨幣収納部１５７の収納筐体部１５５から収納ドロア１５６の引き出しが可能になり、操作者は、収納ドロア１５６を引き出して、紙葉類収納部１６７を露出させ、紙葉類収納部１６７の蓋部１６９を外して、収納部本体１６８から補充に必要な金種の紙幣を取り出し、紙幣投入口２６に投入する。精算制御部１８は、紙幣投入口２６に投入された紙幣を上記した入金処理と同様にして紙幣収納庫１２０〜１２３に補充する紙幣補充処理を行う。なお、この場合、上部カバー２１６を開く必要はないが、上部カバー２１６を開き、紙幣処理部６を筐体本体部２１３から引き出して、紙幣が予め装填された紙幣カセット１１８に交換して、紙幣カセット１１８から紙幣収納庫１２０〜１２３に補充することも可能である。
【０１４５】
「紙幣回収処理」
精算処理端末１１の操作表示部１３に紙幣回収処理の実行が入力されると、精算制御部１８は、紙幣収納庫１２０〜１２３の紙幣を紙幣カセット１１８に搬送する。その後、前面カバー２１５が開かれたことを図示略の前面カバー開閉検知センサで検知すると、精算制御部１８は、紙幣処理部ロック機構２８１による筐体本体部２１３への紙幣処理部６のロックを解除する。すると、操作者は、筐体本体部２１３から紙幣処理部６を引き出して紙幣カセット１１８を取り外し、空の紙幣カセット１１８に交換する。
【０１４６】
なお、硬貨処理部５に異常が発生した場合、前面カバー２１５の開作動を図示略の前面カバー開閉検知センサで検知すると、精算制御部１８は、筐体本体部２１３に対する硬貨処理部５の硬貨処理部ロック機構２７１によるロックを解除する。これにより、硬貨処理部５が筐体本体部２１３から引き出し可能になってメンテナンス可能な状態になる。また、紙幣処理部６に異常が発生した場合、上部カバー２１６の開作動を図示略の上部カバー開閉検知センサで検知すると、精算制御部１８は、筐体本体部２１３に対する紙幣処理部６の紙幣処理部ロック機構２８１によるロックを解除する。これにより、紙幣処理部６が筐体本体部２１３から引き出し可能になってメンテナンス可能な状態になる。
【０１４７】
以上の実施形態の貨幣処理装置１によれば、紙幣を処理する紙幣処理部６の下方に、硬貨を処理する硬貨処理部５が設けられているため、これらを装置幅方向に並べて配置する場合と比べて装置幅方向の寸法を小型化可能となる。よって、貨幣処理装置１と精算処理端末１１とからなる精算装置２０１も小型化可能となり、これを含む精算システム２０４も省スペースに設置可能となる。また、紙幣投入口２６に隣接して硬貨投入口２３４が設けられているため、紙幣および硬貨の投入操作が容易となる。よって、貨幣処理装置１、精算装置２０１及び精算システム２０４の設置の自由度を高めることが可能となる。
【０１４８】
商品登録装置２０２が複数の精算装置２０１を制御可能である場合、例えば、図２１に示すように、４台の精算装置２０１をそれぞれの前方向を９０°ずつ異ならせるレイアウトが可能となり、設置スペースが抑えられる。この場合、使用者は、これら４台の精算装置２０１の中心方向に向くことになるため、入金額を見られにくく、従来のレジ精算やセルフ、セミセルフ方式に比べプライバシーを保護しやすい。
【０１４９】
また、貨幣処理装置１においていずれも上方に開口する紙幣投入口２６及び紙幣出金口２７が、装置幅方向に長く、装置幅方向の位置を重ね合わせて装置前後方向に並設され、貨幣処理装置１において上方に開口する硬貨投入口２３４が、紙幣投入口２６及び紙幣出金口２７に対し装置幅方向に隣接して設けられているため、これらをコンパクトに配置することができ、紙幣及び硬貨を同様に上方から投入可能となる。よって、紙幣及び硬貨の投入操作及び紙幣の取り出し操作が容易となる。
【０１５０】
また、硬貨処理部５の下方に回収硬貨収納トレー１１１が設けられているため、装置幅方向の寸法の大型化を抑制しつつ、硬貨処理部５からの硬貨回収を容易且つ即座に行うことが可能となる。また、回収硬貨収納トレー１１１を設けることで、動作中に硬貨がオーバーフローしても硬貨を退避できるため、動作を止めることなく長時間の運用が可能になる。前面カバー２１５で回収硬貨収納トレー１１１を覆うことで顧客が回収硬貨収納トレー１１１に触れられないようにすることができる。
【０１５１】
また、硬貨処理部５の下方に棒金収納部１７５を含む補充用貨幣収納部１５７が設けられているため、装置幅方向の寸法の大型化を抑制しつつ、硬貨処理部５への硬貨補充を容易且つ即座に行うことが可能となり、硬貨処理部５の釣銭切れをその場で迅速に解消できる。前面カバー２１５で補充用貨幣収納部１５７を覆うことで顧客が補充用貨幣収納部１５７に触れられないようにすることができる。
【０１５２】
また、硬貨処理部５を前面カバー２１５で覆うことにより、外部からアクセスされる硬貨処理部５の外部アクセス部のうち、硬貨リジェクト口２４及び硬貨出金口２５のみを露出させ、紙幣処理部６を上部カバー２１６で覆うことにより、紙幣処理部６の外部アクセス部のうち、紙幣投入口２６、紙幣出金口２７及び異物排除口２８のみを露出させるようにしたため、一般顧客にとって不要な操作表示部２３や各種ボタン等を隠すことにより、見た目がシンプルで操作が分かりやすくなる。
【０１５３】
以上の実施形態を以下の変形例１〜変形例５のように変更することができる。
【０１５４】
［変形例１］
図２２に示すように、硬貨投入口２３４の後側に、後ろ上がりに傾斜するスロープ部３３１を隣接配置し、スロープ部３３１の後側に、水平に広がる載置面３３２を隣接配置して、硬貨投入口２３４、スロープ部３３１及び載置面３３２を水平方向に囲む壁部３３３を設ける。壁部３３３を、載置面３３２よりも上方に突出させる。このような構成にすると、硬貨を投入する際に、投入者は、載置面３３２に硬貨を一旦置き、内容を確認してから、硬貨をスロープ部３３１側に移動させる。すると、移動させられた硬貨は前下がりに傾斜するスロープ部３３１で滑り落ちて硬貨投入口２３４に落下する。後方から前方にスライドさせられた硬貨を落下させることから、硬貨投入口２３４は左右方向に長い形状で開口しており、硬貨を厚さ方向を前後方向に沿わせて落下させる。この横長の硬貨投入口２３４も、複数枚（２〜４枚）の硬貨を同時に通過させることが可能となるようにしてもよい。
【０１５５】
［変形例２］
図２３に示すように、筐体本体部２１３の左右両側に遮蔽板３４１を追加し、覗き見を防止する。あるいは、筐体本体部２１３の側板を高くしても良い。また、追加する遮蔽板３４１にＬＥＤ等のライトを組み込み、精算処理端末１１の精算制御部１８の制御により貨幣処理装置１から遮蔽板３４１全体あるいは一部を光らせて警告灯２４３と同じ役割をさせることができる。あるいは、複数台の精算装置２０１が並ぶ場合に、ライトの発光で使う所定の精算装置２０１に顧客を誘導することが可能になる。
【０１５６】
［変形例３］
貨幣処理装置１は、セミセルフレジシステムに限らず、セルフレジはもちろんのこと、レジ係員が商品登録と精算処理とを１台で行うＰＯＳレジ、あるいは金融機関等に用いられる税公金収納システム等、各種精算システムに適用することができる。図２４に示すように、硬貨処理部５、紙幣処理部６及び回収硬貨収納トレー１１１（または回収硬貨収納金庫。図２４では図示略）を分離した現金処理部３５１と、これを収納する上部カバー２１６および前面カバー２１５を含む装置筐体２１１と有する貨幣処理装置１とすることで、机上で運用できるスリムな精算装置２０１が構築可能である。その運用例は、各業態の事務所に設置し経費精算を行う、役所などの窓口に設置し、手数料などの精算を行う精算装置、映画館などのレジャー施設において顧客が操作する精算装置、券売機などに適用できる。
【０１５７】
図２５は、図２４に示す現金処理部３５１と装置筐体２１１とを有する貨幣処理装置１に、座ったまま操作が可能になるアタッチメントの台３５２を付けた構成である。その運用例は、各金融機関の派出所・出張所の簡易キャッシャ、テーマパーク等のチケット等窓口販売のキャッシャ、役所での精算用、生活保護支給用簡易キャッシャ、鉄道会社の窓口でのキャッシャ等のように、対面で行う窓口業務全般で運用可能である。さらに、台３５２の下にキャスタをつけて移動可能にして運用時間帯のみ金庫室等から取り出して運用することもできる。
【０１５８】
税公金収納システムとして運用する場合、硬貨処理部５、紙幣処理部６及び回収硬貨収納トレー１１１に加えて、伝票等を収納可能なスリット付きの伝票トレー（図示略）を設けるようにしてもよい。運用中には伝票トレーは顧客から引き出せないように電磁ロックでロックされており、顧客は処理済みの伝票を、控え（半券）を手元に残した上で、装置筐体２１１の前面からスリットを介して伝票トレーに収納する。顧客は、レシートプリンタから印刷されたレシートと半券とをロビー係員等に提示し、当該係員はレシートと半券に示された金額の一致を確認して受付日付印を押下する。
【０１５９】
［変形例４］
貨幣処理装置１の操作表示部２３を取り外し可能に構成する。上記実施形態において、貨幣処理装置１の操作表示部２３は、顧客に触られないように装置筐体２１１の内部に収納されている。このため、例えば、硬貨処理部５の簡易な異常でもリセットする場合には、装置筐体２１１の前面カバー２１５を開け、硬貨処理部５を引き出して、操作表示部２３にリセット操作を入力しなければならず、管理者の手間と時間がかかってしまう。そこで、例えば、操作表示部２３を取り外し可能にし、有線（数メートルの有線）または無線で操作表示部２３と貨幣処理装置１の制御部との間で通信可能にする。そして、この分離された操作表示部２３を商品登録装置２０２側に仮設置し、従業員だけが操作できるようにする。これにより、貨幣処理装置１の在高管理や、簡易リセットは商品登録装置２０２側で簡単に操作できる。装置筐体２１１の開閉を必要とするジャム解除などは、操作表示部２３を貨幣処理装置１まで持ち運んで操作することになる。
【０１６０】
さらに、精算装置２０１が複数台接続されているとき、ひとつの操作表示部２３または他の全ての操作表示部２３から相互に他の精算装置２０１の状態監視を行うモニタとしての役割を持たせるようにしてもよい。状態監視とは、例えば、在高の状態やエラーの状態など、精算装置２０１の動作に関する情報を含む。例えば、分離された操作表示部２３で複数の精算装置２０１の状態をモニタできるようにすることで、顧客の運用を中断させることなく、精算装置２０１を稼動させた状態で状態監視を行うことが可能になる。
【０１６１】
［変形例５］
上記のような精算装置２０１と、受付システムとを連携させることもできる。
【０１６２】
＜セミセルフレジシステムの場合＞
例えば、商品登録装置２０２側で支払いシートプリンタ２５３から支払シートではなく、受付システムで発行された受付番号（または精算装置番号でも可）が印刷された受付票を印字出力し、この受付票を顧客に渡す。ここで、精算装置番号の場合のように、発券不要であれば音声や表示により顧客に通知するだけでもよい。受付票を発券するか否かを顧客が選択できるようにしてもよい。商品登録装置２０２は、受付番号と代金情報を紐付けて記憶しておく。精算装置２０１において受付票から受付番号が読み取り機でスキャン（または手入力や音声入力）されたときに、精算制御部１８は、商品登録装置２０２から当該受付番号に対応する代金情報を取得し、精算処理端末１１の操作表示部１３に代金情報を表示し、精算を開始する。精算制御部１８は顧客の精算処理が完了したときに、新たな受付番号を呼び出すように受付システムに呼出指示を送信し、受付システムは当該精算装置２０１に設けられた呼出表示器に新たな受付番号を表示する。このようにすることで、複数台の精算装置２０１が設置されている場合でも、顧客は迷うことなく、呼び出された精算装置２０１で支払いを行うことができる。また、呼出表示器に、精算装置２０１の状態を示すような機能を持たせるようにしてもよい。例えば、精算装置２０１のエラー発生時は“ｅｒｒｏｒ”を示す「Ｅ」表示、紙幣や硬貨のフル(ニアフル)時は“ｂｉｌｌ  ｆｕｌｌ”を示す「ＢＦ」や“ｃｏｉｎ  ｆｕｌｌ”を示す「ＣＦ」、紙幣や硬貨のエンド(ニアエンド)時は“ｂｉｌｌ  ｅｎｄ”を示す「ＢＥ」や“ｃｏｉｎ  ｅｎｄ”を示す「ＣＥ」など文字を用いて、従業員がエラー原因を一目でわかるような表示を行うようにしてもよい。あるいは従業員などの関係者以外に釣銭機の現金状態を知らせないようにするために、関係者にしかわからない記号や色等を用いて報知するようにしてもよい。
【０１６３】
＜税公金収納システムの場合＞
金融機関において、顧客が受付システムの発券機で業務選択メニューから「税公金収納」を選択すると、発券機が受付番号を印字した受付票を発券する。税公金収納システムの貨幣処理装置１の上位機となる精算処理端末１１の精算制御部１８は顧客の処理が完了すると、新たな受付番号を呼び出すように受付システムに呼出指示を送信し、受付システムは当該精算装置２０１に設けられた呼出表示器に新たな受付番号を表示する。顧客は受付票の受付番号が呼出された精算装置２０１で支払を行う。支払いが完了すると、顧客は処理済みの伝票を、控え（半券）を手元に残した上で、装置筐体２１１の前面からスリットを介して伝票トレーに収納する。さらに、この支払い完了または伝票収納等のタイミングで、受付システムの発券機または精算装置２０１から受付番号を印字した受付票が発券され（または発券せずに上記発券済みの受付票を再利用する）、窓口の呼出表示機で受付票に印字された受付番号が呼ばれると、顧客はレシートプリンタから印刷されたレシートと半券とを窓口係員に提示し、窓口係員はレシートと半券に示された金額が一致することを確認して受付日付印を押下する。
【符号の説明】
【０１６４】
１…貨幣処理装置、５…硬貨処理部、６…紙幣処理部、２６…紙幣投入口、２７…紙幣出金口、１１１…回収硬貨収納トレー（回収硬貨収納部）、１５７…補充用貨幣収納部（棒金収納部）、２０４…精算システム、２３４…硬貨投入口、誘導シュート２６５（誘導部）。
【図１】
2018101279.tif 000003
【図２】
2018101279.tif 000004
【図３】
2018101279.tif 000005
【図４】
2018101279.tif 000006
【図５】
2018101279.tif 000007
【図６】
2018101279.tif 000008
【図７】
2018101279.tif 000009
【図８】
2018101279.tif 000010
【図９】
2018101279.tif 000011
【図１０】
2018101279.tif 000012
【図１１】
2018101279.tif 000013
【図１２】
2018101279.tif 000014
【図１３】
2018101279.tif 000015
【図１４】
2018101279.tif 000016
【図１５】
2018101279.tif 000017
【図１６】
2018101279.tif 000018
【図１７】
2018101279.tif 000019
【図１８】
2018101279.tif 000020
【図１９】
2018101279.tif 000021
【図２０】
2018101279.tif 000022
【図２１】
2018101279.tif 000023
【図２２】
2018101279.tif 000024
【図２３】
2018101279.tif 000025
【図２４】
2018101279.tif 000026
【図２５】
2018101279.tif 000027